(57)【要約】  複数の上りリンクセルを用いてＣＳＩ報告を行う端末装置であって、第１のサブフレームにおける、第１のチャネル状態情報報告の数と第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える。
2017022797.tif 000002
【特許請求の範囲】
【請求項１】
端末装置であって、
第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、
第２のサービングセルにおける物理上りリンクチャネルでの、複数の第２のチャネル状態情報プロセスに対応する、複数の第２のチャネル状態情報報告のための第２の情報を前記基地局装置から受信する受信部と、
第１のサブフレームにおいて前記第１のチャネル状態情報報告を行い、
前記第１のサブフレームにおいて前記第２のチャネル状態情報報告を行う送信部と、を備え、
前記第１のサブフレームにおける、前記第１のチャネル状態情報報告の数と前記第２のチャネル状態情報報告の数の合計が、第１の所定の数を超えた場合には、
前記１つまたは複数の第１のチャネル状態情報報告、および、前記複数の第２のチャネル状態情報報告のうちの、第２の所定の数のチャネル状態情報報告を更新せず、
前記第２の所定の数は、前記１つまたは複数の第１のチャネル状態情報報告の数と前記複数の第２のチャネル状態情報報告の数の合計から、前記第１の所定の数を減算した数であり、
前記１つまたは複数の第１のチャネル状態情報報告は、周期的なチャネル状態情報報告であり、
前記複数の第２のチャネル状態情報報告は、周期的なチャネル状態情報報告である
端末装置。
【請求項２】
前記第１のサブフレームにおいて前記第１のチャネル状態情報報告の数と前記第２のチャネル状態情報報告の数の合計が第３の所定の値を超えた場合には、前記１つまたは複数の第１のチャネル状態情報報告、および、前記複数の第２のチャネル状態情報報告のうちの一部が優先度に基づいてドロップされ、
前記優先度は、サービングセルインデックスをおよび／またはＣＳＩプロセスインデックスを含む、
請求項１記載の端末装置。
【請求項３】
前記送信部は、
前記第１のサービングセルでは、プライマリーセルを含む第１のセルグループに含まれるチャネル状態情報を報告し、
前記第２のサービングセルでは、前記プライマリーセルを含まない第２のセルグループに含まれるチャネル状態情報を報告し、
前記第１のサービングセルは、前記プライマリーセルであり、
前記第２のサービングセルは、物理上りリンク制御チャネル（ＰＵＣＣＨ）セカンダリーセルである
請求項１記載の端末装置。
【請求項４】
前記送信部は、
前記第１のセルグループの前記第１のチャネル状態情報報告のための送信電力を優先して割り当てる
請求項２記載の端末装置。
【請求項５】
前記更新されないチャネル状態情報報告は、セルグループの優先度に基づいて決定され、
前記セルグループは、前記第１のセルグループと、
前記第２のセルグループである、
請求項１記載の端末装置。
【請求項６】
基地局装置であって、
第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、
第２のサービングセルにおける物理上りリンクチャネルでの、複数の第２のチャネル状態情報プロセスに対応する、複数の第２のチャネル状態情報報告のための第２の情報を前記端末装置に送信する送信部と、
第１のサブフレームにおいて前記１つまたは複数の第１のチャネル状態情報報告を受信し、
前記第１のサブフレームにおいて前記複数の第２のチャネル状態情報報告を受信する受信部と、を備え、
前記第１のサブフレームにおける、前記第１のチャネル状態情報報告の数と前記第２のチャネル状態情報報告の数の合計が、第１の所定の数を超えた場合には、
前記１つまたは複数の第１のチャネル状態情報報告、および、前記複数の第２のチャネル状態情報報告のうちの、第２の所定の数のチャネル状態情報報告がドロップされており、
前記第２の所定の数は、前記１つまたは複数の第１のチャネル状態情報報告の数と前記複数の第２のチャネル状態情報報告の数の合計から、前記第１の所定の数を減算した数である
基地局装置。
【請求項７】
前記第１のサブフレームにおいて前記第１のチャネル状態情報報告の数と前記第２のチャネル状態情報報告の数の合計が第３の所定の値を超えた場合には、前記１つまたは複数の第１のチャネル状態情報報告、および、前記複数の第２のチャネル状態情報報告のうちの一部が優先度に基づいてドロップされ、
前記優先度は、サービングセルインデックスをおよび／またはＣＳＩプロセスインデックスを含む、
請求項６記載の基地局装置。
【請求項８】
前記受信部は、
前記第１のサービングセルでは、プライマリーセルを含む第１のセルグループに含まれるチャネル状態情報を受信し、
前記第２のサービングセルでは、前記プライマリーセルを含まない第２のセルグループに含まれるチャネル状態情報を受信し、
前記第１のサービングセルは、前記プライマリーセルであり、
前記第２のサービングセルは、物理上りリンク制御チャネル（ＰＵＣＣＨ）セカンダリーセルである
請求項６記載の基地局装置。
【請求項９】
前記受信部は、
前記第１のセルグループの前記第１のチャネル状態情報報告のための送信電力を優先して割り当てられている
請求項８記載の基地局装置。
【請求項１０】
前記更新されないチャネル状態情報報告は、セルグループの優先度に基づいて決定され、
前記セルグループは、前記第１のセルグループと、
前記第２のセルグループである、
請求項８記載の基地局装置。
【請求項１１】
端末装置の通信方法であって、
第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、
第２のサービングセルにおける物理上りリンクチャネルでの、複数の第２のチャネル状態情報プロセスに対応する、複数の第２のチャネル状態情報報告のための第２の情報を前記基地局装置から受信し、
第１のサブフレームにおいて前記第１のチャネル状態情報報告を行い、
前記第１のサブフレームにおいて前記第２のチャネル状態情報報告を行い、
前記第１のサブフレームにおける、前記第１のチャネル状態情報報告の数と前記第２のチャネル状態情報報告の数の合計が、第１の所定の数を超えた場合には、
前記１つまたは複数の第１のチャネル状態情報報告、および、前記複数の第２のチャネル状態情報報告のうちの、第２の所定の数のチャネル状態情報報告を更新せず、
前記第２の所定の数は、前記１つまたは複数の第１のチャネル状態情報報告の数と前記複数の第２のチャネル状態情報報告の数の合計から、前記第１の所定の数を減算した数であり、
前記１つまたは複数の第１のチャネル状態情報報告は、周期的なチャネル状態情報報告であり、
前記複数の第２のチャネル状態情報報告は、周期的なチャネル状態情報報告である
通信方法。
【請求項１２】
基地局装置の通信方法であって、
第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、
第２のサービングセルにおける物理上りリンクチャネルでの、複数の第２のチャネル状態情報プロセスに対応する、複数の第２のチャネル状態情報報告のための第２の情報を前記端末装置に送信し、
第１のサブフレームにおいて前記１つまたは複数の第１のチャネル状態情報報告を受信し、
前記第１のサブフレームにおいて前記複数の第２のチャネル状態情報報告を受信する受信し、
前記第１のサブフレームにおける、前記第１のチャネル状態情報報告の数と前記第２のチャネル状態情報報告の数の合計が、第１の所定の数を超えた場合には、
前記１つまたは複数の第１のチャネル状態情報報告、および、前記複数の第２のチャネル状態情報報告のうちの、第２の所定の数のチャネル状態情報報告がドロップされており、
前記第２の所定の数は、前記１つまたは複数の第１のチャネル状態情報報告の数と前記複数の第２のチャネル状態情報報告の数の合計から、前記第１の所定の数を減算した数である
通信方法。
【請求項１３】
端末装置に搭載される集積回路であって、
第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、
第２のサービングセルにおける物理上りリンクチャネルでの、複数の第２のチャネル状態情報プロセスに対応する、複数の第２のチャネル状態情報報告のための第２の情報を前記基地局装置から受信する手段と、
第１のサブフレームにおいて前記第１のチャネル状態情報報告を行い、
前記第１のサブフレームにおいて前記第２のチャネル状態情報報告を行う手段と、を備え、
前記第１のサブフレームにおける、前記第１のチャネル状態情報報告の数と前記第２のチャネル状態情報報告の数の合計が、第１の所定の数を超えた場合には、
前記１つまたは複数の第１のチャネル状態情報報告、および、前記複数の第２のチャネル状態情報報告のうちの、第２の所定の数のチャネル状態情報報告を更新せず、
前記第２の所定の数は、前記１つまたは複数の第１のチャネル状態情報報告の数と前記複数の第２のチャネル状態情報報告の数の合計から、前記第１の所定の数を減算した数であり、
前記１つまたは複数の第１のチャネル状態情報報告は、周期的なチャネル状態情報報告であり、
前記複数の第２のチャネル状態情報報告は、周期的なチャネル状態情報報告である
集積回路。
【請求項１４】
基地局装置に搭載される集積回路であって、
第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、
第２のサービングセルにおける物理上りリンクチャネルでの、複数の第２のチャネル状態情報プロセスに対応する、複数の第２のチャネル状態情報報告のための第２の情報を前記端末装置に送信する手段と、
第１のサブフレームにおいて前記１つまたは複数の第１のチャネル状態情報報告を受信し、
前記第１のサブフレームにおいて前記複数の第２のチャネル状態情報報告を受信する受信する手段と、を備え、
前記第１のサブフレームにおける、前記第１のチャネル状態情報報告の数と前記第２のチャネル状態情報報告の数の合計が、第１の所定の数を超えた場合には、
前記１つまたは複数の第１のチャネル状態情報報告、および、前記複数の第２のチャネル状態情報報告のうちの、第２の所定の数のチャネル状態情報報告がドロップされており、
前記第２の所定の数は、前記１つまたは複数の第１のチャネル状態情報報告の数と前記複数の第２のチャネル状態情報報告の数の合計から、前記第１の所定の数を減算した数である
集積回路。
【発明の詳細な説明】
【技術分野】
【０００１】
本発明のいくつかの態様は、端末装置、基地局装置、通信方法、および、集積回路に関する。
本願は、２０１５年８月６日に、日本に出願された特願２０１５−１５５５７７号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project: 3GPP）において検討されている（非特許文献１、非特許文献２、非特許文献３、非特許文献４、および、非特許文献５）。ＬＴＥでは、基地局装置をｅＮｏｄｅＢ（evolved Node B）、端末装置をユーザ装置（User Equipment: UE）あるいは移動局装置とも称する。ＬＴＥは、基地局装置がカバーするエリアをセル状に複数配置するセルラー通信システムである。ここで、単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。【０００４】
３ＧＰＰにおいて、端末装置が５つまでのサービングセル（コンポーネントキャリア: CC）において、同時に送信、および／または、受信を行うことができるキャリアアグリゲーション（Carrier Aggregation: CA）が仕様化されている。【０００５】
また、３ＧＰＰにおいて、端末装置が５つを超えたサービングセル（コンポーネントキャリア）において、同時に送信、および／または、受信を行うことが検討されている。さらに、端末装置が、プライマリーセル以外のサービングセルであるセカンダリーセルにおいて、物理上りリンク制御チャネル（Physical Uplink Control CHannel: PUCCH）での送信を行うことが検討されている（非特許文献６）。
また、３ＧＰＰにおいて、ＰＵＣＣＨの新しいフォーマットおよび／または物理上りリンク共用チャネル（Physical Uplink Shared CHannel: PUSCH）を用いて複数のサービングセルのチャネル状態情報（Channel State Information: CSI）を同時に送信することが検討されている。
【先行技術文献】
【非特許文献】
【０００６】
【非特許文献１】"3GPP TS 36.211 V12.4.0 (2014-12) Evolved Universal Terrestrial Radio Access (E-UTRA); Physical channels and modulation (Release 12)", 6th-January 2015.
【非特許文献２】"3GPP TS 36.212 V12.3.0 (2014-12) Evolved Universal Terrestrial Radio Access (E-UTRA); Multiplexing and channel coding (Release 12)", 6th-January 2015.
【非特許文献３】"3GPP TS 36.213 V12.4.0 (2014-12) Evolved Universal Terrestrial Radio Access (E-UTRA); Physical layer procedures (Release 12)", 7th-January 2015.
【非特許文献４】"3GPP TS 36.321 V12.4.0 (2014-12) Evolved Universal Terrestrial Radio Access (E-UTRA); Medium Access Control (MAC) protocol specification (Release 12)", 5th-January 2015.
【非特許文献５】"3GPP TS 36.331 V12.4.1 (2014-12) Evolved Universal Terrestrial Radio Access (E-UTRA); Radio Resource Control (RRC); Protocol specification (Release 12)", 7th-January 2015.
【非特許文献６】"New WI proposal: LTE Carrier Aggregation Enhancement Beyond 5 Carriers", RP-142286, Nokia Corporation, NTT DoCoMo Inc., Nokia Networks, 3GPP TSG RAN Meeting #66, Hawaii, United States of America, 8th-11th December 2014.
【発明の概要】
【発明が解決しようとする課題】
【０００７】
本発明のいくつかの態様の目的は、上記のような無線通信システムにおいて、基地局装置と端末装置が、効率的に通信することができる端末装置、基地局装置、通信方法、および、集積回路を提供することを目的とする。
【課題を解決するための手段】
【０００８】
（１）上記の目的を達成するために、本発明の態様は、以下のような手段を講じた。すなわち、本発明の一態様における端末装置は、第１のサービングセルにおける物理上りリンクチャネルでの１つまたは複数の第１のチャネル状態情報報告のための第１の情報を基地局装置から受信し、第２のサービングセルにおける物理上りリンクチャネルでの複数の第２のチャネル状態情報報告のための第２の情報を前記基地局装置から受信する受信部と、前記第１のチャネル状態情報報告を行い、前記第２のチャネル状態情報報告を行う送信部と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える端末装置であってよい。【０００９】
（２）また、本発明の一態様における端末装置は、第１のサービングセルにおける物理上りリンクチャネルでの１つまたは複数の第１のチャネル状態情報報告のための第１の情報を基地局装置から受信し、第２のサービングセルにおける物理上りリンクチャネルでの複数の第２のチャネル状態情報報告のための第２の情報を前記基地局装置から受信する受信部と、前記第１のチャネル状態情報報告を行い、前記第２のチャネル状態情報報告を行う送信部と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告をドロップし、前記第２の所定の数は、前記１つまたは複数の第１のチャネル状態情報報告の数と前記複数の第２のチャネル状態情報報告の数の合計から、前記第１の所定の数を減算した数である端末装置であってよい。【００１０】
（３）また、本発明の一態様における端末装置は、第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、第２のサービングセルにおける物理上りリンクチャネルでの、複数の第２のチャネル状態情報プロセスに対応する、複数の第２のチャネル状態情報報告のための第２の情報を前記基地局装置から受信する受信部と、前記第１のチャネル状態情報報告を行い、前記第２のチャネル状態情報報告を行う送信部と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える端末装置であってよい。【００１１】
（４）また、本発明の一態様における端末装置は、第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、第２のサービングセルにおける物理上りリンクチャネルでの、複数の第２のチャネル状態情報プロセスに対応する、複数の第２のチャネル状態情報報告のための第２の情報を前記基地局装置から受信する受信部と、前記１つまたは複数の第１のチャネル状態情報報告を行い、前記複数の第２のチャネル状態情報報告を行う送信部と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告をドロップし、前記第２の所定の数は、前記１つまたは複数の第１のチャネル状態情報報告の数と前記複数の第２のチャネル状態情報報告の数の合計から、前記第１の所定の数を減算した数である端末装置であってよい。【００１２】
（５）また、本発明の一態様における基地局装置は、第１のサービングセルにおける物理上りリンクチャネルでの１つまたは複数の第１のチャネル状態情報報告のための第１の情報を端末装置に送信し、第２のサービングセルにおける物理上りリンクチャネルでの複数の第２のチャネル状態情報報告のための第２の情報を前記端末装置に送信する送信部と、前記第１のチャネル状態情報報告を受信し、前記第２のチャネル状態情報報告を受信する受信部と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える基地局装置であってもよい。【００１３】
（６）また、本発明の一態様における基地局装置は、第１のサービングセルにおける物理上りリンクチャネルでの１つまたは複数の第１のチャネル状態情報報告のための第１の情報を端末装置に送信し、第２のサービングセルにおける物理上りリンクチャネルでの複数の第２のチャネル状態情報報告のための第２の情報を前記端末装置に送信する送信部と、前記第１のチャネル状態情報報告を受信し、前記第２のチャネル状態情報報告を受信する受信部と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告がドロップされており、前記第２の所定の数は、前記１つまたは複数の第１のチャネル状態情報報告の数と前記複数の第２のチャネル状態情報報告の数の合計から、前記第１の所定の数を減算した数である基地局装置であってもよい。【００１４】
（７）また、本発明の一態様における基地局装置は、第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、第２のサービングセルにおける物理上りリンクチャネルでの、複数の第２のチャネル状態情報プロセスに対応する、複数の第２のチャネル状態情報報告のための第２の情報を前記端末装置に送信する送信部と、前記第１のチャネル状態情報報告を受信し、前記第２のチャネル状態情報報告を受信する受信部と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える基地局装置であってよい。【００１５】
（８）また、本発明の一態様における基地局装置は、第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、第２のサービングセルにおける物理上りリンクチャネルでの、複数の第２のチャネル状態情報プロセスに対応する、複数の第２のチャネル状態情報報告のための第２の情報を前記端末装置に送信する送信部と、前記１つまたは複数の第１のチャネル状態情報報告を受信し、前記複数の第２のチャネル状態情報報告を受信する受信部と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告がドロップされており、前記第２の所定の数は、前記１つまたは複数の第１のチャネル状態情報報告の数と前記複数の第２のチャネル状態情報報告の数の合計から、前記第１の所定の数を減算した数である基地局装置であってよい。【００１６】
（９）また、本発明の一態様における端末装置の通信方法は、第１のサービングセルにおける物理上りリンクチャネルでの１つまたは複数の第１のチャネル状態情報報告のための第１の情報を基地局装置から受信し、第２のサービングセルにおける物理上りリンクチャネルでの複数の第２のチャネル状態情報報告のための第２の情報を前記基地局装置から受信し、前記第１のチャネル状態情報報告を行い、前記第２のチャネル状態情報報告を行い、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える通信方法であってよい。【００１７】
（１０）また、本発明の一態様における端末装置の通信方法は、第１のサービングセルにおける物理上りリンクチャネルでの１つまたは複数の第１のチャネル状態情報報告のための第１の情報を基地局装置から受信し、第２のサービングセルにおける物理上りリンクチャネルでの複数の第２のチャネル状態情報報告のための第２の情報を前記基地局装置から受信し、前記第１のチャネル状態情報報告を行い、前記第２のチャネル状態情報報告を行い、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告をドロップし、前記第２の所定の数は、前記１つまたは複数の第１のチャネル状態情報報告の数と前記複数の第２のチャネル状態情報報告の数の合計から、前記第１の所定の数を減算した数である通信方法であってよい。【００１８】
（１１）また、本発明の一態様における端末装置の通信方法は、第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、第２のサービングセルにおける物理上りリンクチャネルでの、複数の第２のチャネル状態情報プロセスに対応する、複数の第２のチャネル状態情報報告のための第２の情報を前記基地局装置から受信する受信部と、前記第１のチャネル状態情報報告を行い、前記第２のチャネル状態情報報告を行う送信部と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える通信方法。【００１９】
（１２）また、本発明の一態様における端末装置の通信方法は、第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、第２のサービングセルにおける物理上りリンクチャネルでの、複数の第２のチャネル状態情報プロセスに対応する、複数の第２のチャネル状態情報報告のための第２の情報を前記基地局装置から受信し、前記１つまたは複数の第１のチャネル状態情報報告を行い、前記複数の第２のチャネル状態情報報告を行い、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告をドロップし、前記第２の所定の数は、前記１つまたは複数の第１のチャネル状態情報報告の数と前記複数の第２のチャネル状態情報報告の数の合計から、前記第１の所定の数を減算した数である通信方法。【００２０】
（１３）また、本発明の一態様における基地局装置の通信方法は、第１のサービングセルにおける物理上りリンクチャネルでの１つまたは複数の第１のチャネル状態情報報告のための第１の情報を端末装置に送信し、第２のサービングセルにおける物理上りリンクチャネルでの複数の第２のチャネル状態情報報告のための第２の情報を前記端末装置に送信し、前記第１のチャネル状態情報報告を受信し、前記第２のチャネル状態情報報告を受信し、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える通信方法であってよい。【００２１】
（１４）また、本発明の一態様における基地局装置の通信方法は、第１のサービングセルにおける物理上りリンクチャネルでの１つまたは複数の第１のチャネル状態情報報告のための第１の情報を端末装置に送信し、第２のサービングセルにおける物理上りリンクチャネルでの複数の第２のチャネル状態情報報告のための第２の情報を前記端末装置に送信し、前記第１のチャネル状態情報報告を受信し、前記第２のチャネル状態情報報告を受信し、第１のサブフレームにおける、前記第１のチャネル状態情報報告の数と前記第２のチャネル状態情報報告の数の合計が、所定の数を超えた場合には、前記１つまたは複数の第１のチャネル状態情報報告、および、前記複数の第２のチャネル状態情報報告のうちの、第２の所定の数のチャネル状態情報報告がドロップされており、前記第２の所定の数は、前記１つまたは複数の第１のチャネル状態情報報告の数と前記複数の第２のチャネル状態情報報告の数の合計から、前記第１の所定の数を減算した数である通信方法であってよい。【００２２】
（１５）また、本発明の一態様における基地局装置の通信方法は、第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、第２のサービングセルにおける物理上りリンクチャネルでの、複数の第２のチャネル状態情報プロセスに対応する、複数の第２のチャネル状態情報報告のための第２の情報を前記基地局装置から受信し、前記第１のチャネル状態情報報告を行い、前記第２のチャネル状態情報報告を行い、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える通信方法であってよい。【００２３】
（１６）また、本発明の一態様における基地局装置の通信方法は、第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、第２のサービングセルにおける物理上りリンクチャネルでの、複数の第２のチャネル状態情報プロセスに対応する、複数の第２のチャネル状態情報報告のための第２の情報を前記端末装置に送信し、前記１つまたは複数の第１のチャネル状態情報報告を受信し、前記複数の第２のチャネル状態情報報告を受信し、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告がドロップされており、前記第２の所定の数は、前記１つまたは複数の第１のチャネル状態情報報告の数と前記複数の第２のチャネル状態情報報告の数の合計から、前記第１の所定の数を減算した数である通信方法であってよい。【００２４】
（１７）また、本発明の一態様における端末装置に搭載される集積回路は、第１のサービングセルにおける物理上りリンクチャネルでの１つまたは複数の第１のチャネル状態情報報告のための第１の情報を基地局装置から受信し、第２のサービングセルにおける物理上りリンクチャネルでの複数の第２のチャネル状態情報報告のための第２の情報を前記基地局装置から受信する手段と、前記第１のチャネル状態情報報告を行い、前記第２のチャネル状態情報報告を行う手段と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える集積回路であってよい。【００２５】
（１８）また、本発明の一態様における端末装置に搭載される集積回路は、第１のサービングセルにおける物理上りリンクチャネルでの１つまたは複数の第１のチャネル状態情報報告のための第１の情報を基地局装置から受信し、第２のサービングセルにおける物理上りリンクチャネルでの複数の第２のチャネル状態情報報告のための第２の情報を前記基地局装置から受信する手段と、前記第１のチャネル状態情報報告を行い、前記第２のチャネル状態情報報告を行う手段と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告をドロップし、前記第２の所定の数は、前記１つまたは複数の第１のチャネル状態情報報告の数と前記複数の第２のチャネル状態情報報告の数の合計から、前記第１の所定の数を減算した数である集積回路であってよい。【００２６】
（１９）また、本発明の一態様における端末装置に搭載される集積回路は、第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、第２のサービングセルにおける物理上りリンクチャネルでの、複数の第２のチャネル状態情報プロセスに対応する、複数の第２のチャネル状態情報報告のための第２の情報を前記基地局装置から受信する手段と、前記第１のチャネル状態情報報告を行い、前記第２のチャネル状態情報報告を行う手段と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える集積回路であってよい。【００２７】
（２０）また、本発明の一態様における端末装置に搭載される集積回路は、第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、第２のサービングセルにおける物理上りリンクチャネルでの、複数の第２のチャネル状態情報プロセスに対応する、複数の第２のチャネル状態情報報告のための第２の情報を前記基地局装置から受信する手段と、前記１つまたは複数の第１のチャネル状態情報報告を行い、前記複数の第２のチャネル状態情報報告を行う手段と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告をドロップし、前記第２の所定の数は、前記１つまたは複数の第１のチャネル状態情報報告の数と前記複数の第２のチャネル状態情報報告の数の合計から、前記第１の所定の数を減算した数である集積回路であってよい。【００２８】
（２１）また、本発明の一態様における基地局装置に搭載される集積回路は、第１のサービングセルにおける物理上りリンクチャネルでの１つまたは複数の第１のチャネル状態情報報告のための第１の情報を端末装置に送信し、第２のサービングセルにおける物理上りリンクチャネルでの複数の第２のチャネル状態情報報告のための第２の情報を前記端末装置に送信する手段と、前記第１のチャネル状態情報報告を受信し、前記第２のチャネル状態情報報告を受信する手段と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える集積回路であってよい。【００２９】
（２２）また、本発明の一態様における基地局装置に搭載される集積回路は、第１のサービングセルにおける物理上りリンクチャネルでの１つまたは複数の第１のチャネル状態情報報告のための第１の情報を端末装置に送信し、第２のサービングセルにおける物理上りリンクチャネルでの複数の第２のチャネル状態情報報告のための第２の情報を前記端末装置に送信する手段と、前記第１のチャネル状態情報報告を受信し、前記第２のチャネル状態情報報告を受信する手段と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告がドロップされており、前記第２の所定の数は、前記１つまたは複数の第１のチャネル状態情報報告の数と前記複数の第２のチャネル状態情報報告の数の合計から、前記第１の所定の数を減算した数である集積回路であってよい。【００３０】
（２３）また、本発明の一態様における基地局装置に搭載される集積回路は、第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、第２のサービングセルにおける物理上りリンクチャネルでの、複数の第２のチャネル状態情報プロセスに対応する、複数の第２のチャネル状態情報報告のための第２の情報を前記端末装置に送信する送信手段と、前記第１のチャネル状態情報報告を受信し、前記第２のチャネル状態情報報告を受信する受信手段と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える集積回路であってよい。【００３１】
（２４）また、本発明の一態様における基地局装置に搭載される集積回路は、第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、第２のサービングセルにおける物理上りリンクチャネルでの、複数の第２のチャネル状態情報プロセスに対応する、複数の第２のチャネル状態情報報告のための第２の情報を前記端末装置に送信する手段と、前記１つまたは複数の第１のチャネル状態情報報告を受信し、前記複数の第２のチャネル状態情報報告を受信する手段と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告がドロップされており、前記第２の所定の数は、前記１つまたは複数の第１のチャネル状態情報報告の数と前記複数の第２のチャネル状態情報報告の数の合計から、前記第１の所定の数を減算した数である集積回路であってよい。
【発明の効果】
【００３２】
この発明のいくつかの態様によれば、基地局装置と端末装置が、効率的に通信することができる。
【図面の簡単な説明】
【００３３】
【図１】本実施形態における無線通信システムの概念を示す図である。
【図２】本実施形態におけるスロットの構成を示す図である。
【図３Ａ】本実施形態におけるＰＵＣＣＨセルグループを説明する第１の図である。
【図３Ｂ】本実施形態におけるＰＵＣＣＨセルグループを説明する第２の図である。
【図３Ｃ】本実施形態におけるＰＵＣＣＨセルグループを説明する第３の図である。
【図４】本実施形態におけるＲＩ報告とＣＱＩ報告の方法の一例を示すための図である。
【図５】本実施形態における複数のＰＵＣＣＨが衝突した場合の端末装置１の動作の一例を示すフロー図である。
【図６】本実施形態における複数のＣＳＩの報告が衝突した場合のドロップのルールの一例を説明するための図である。
【図７】本実施形態における複数のＣＳＩの報告が衝突している場合の端末装置１の動作の一例を示すフロー図である。
【図８】本実施形態における端末装置１が複数の上りリンクセルでＣＳＩ報告を行う一例を説明するための図である。
【図９】本実施形態における端末装置１の構成を示す概略ブロック図である。
【図１０】本実施形態における基地局装置３の構成を示す概略ブロック図である。
【発明を実施するための形態】
【００３４】
以下、本発明の実施形態について説明する。
【００３５】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００３６】
本実施形態における物理チャネルおよび物理信号について説明する。
【００３７】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３８】
ＰＵＣＣＨは、上りリンク制御情報（Uplink Control Information: UCI）を送信するために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい。
【００３９】
すなわち、ＨＡＲＱ−ＡＣＫは、ＡＣＫ（acknowledgement）またはＮＡＣＫ（negative-acknowledgement）を示してもよい。ここで、ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００４０】
ただし、チャネル状態情報（ＣＳＩ）は、チャネル品質インディケータ（Channel Quality Indicator: CQI）、プリコーディングマトリクスインディケータ（Precoding Matrix Indicator: PMI）、プリコーディングタイプインディケータ（Precoding Type Indicator: PTI）、および／またはランクインディケータ（Rank Indicator: RI）から構成される。
チャネル状態情報は、端末装置１から基地局装置３に対して、所定の周期で周期的に報告されても良いし、あるいは非周期的に報告されても良い。報告されるＣＳＩをＣＳＩレポートと称し、周期的に報告されるＣＳＩを周期的チャネル状態情報（ピリオディックＣＳＩ：periodic CSI）あるいはピリオディックＣＳＩレポート（periodic CSI report）と称し、非周期的に報告されるＣＳＩを非周期的チャネル状態情報（アピリオディックＣＳＩ：aperiodic CSI）あるいはアピリオディックＣＳＩレポート（aperiodic CSI report）と称する。
【００４１】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００４２】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。
【００４３】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、端末装置固有（ＵＥスペシフィック）な情報は、ある端末装置１に対して専用のシグナリングを用いて送信されてもよい。
【００４４】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられてもよい。
【００４５】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
【００４６】
本実施形態において、以下の２つのタイプの上りリンク参照信号が用いられる。
・ＤＭＲＳ（Demodulation Reference Signal）
・ＳＲＳ（Sounding Reference Signal）
【００４７】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４８】
ＳＲＳは、ＰＵＳＣＨまたはＰＵＣＣＨの送信に関連しない。基地局装置３は、上りリンクのチャネル状態を測定するためにＳＲＳを使用する。
【００４９】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００５０】
ＰＢＣＨは、端末装置１で共通に用いられるマスターインフォメーションブロック（Master Information Block: MIB, Broadcast Channel: BCH）を報知するために用いられる
。
【００５１】
ＰＣＦＩＣＨは、ＰＤＣＣＨの送信に用いられる領域（ＯＦＤＭシンボル）を指示する情報を送信するために用いられる。
【００５２】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００５３】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００５４】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１Ａ、ＤＣＩフォーマット１Ｃ）が定義されてもよい。
【００５５】
ここで、下りリンクに対するＤＣＩフォーマットには、ＰＤＳＣＨのスケジューリングに関する情報が含まれる。例えば、下りリンクに対するＤＣＩフォーマットには、キャリアインディケータフィールド（CIF: Carrier Indicator Field）、リソースブロック割り当てに関する情報、ＭＣＳ（Modulation and Coding Scheme）に関する情報、ＰＤＳＣＨ送信における送信レイヤーの数を指示するために用いられる情報（Precoding information）などの下りリンク制御情報が含まれる。ここで、下りリンクに対するＤＣＩフォーマットを、下りリンクグラント（downlink grant）、または、下りリンクアサインメント（downlink assignment）とも称する。
【００５６】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット４）が定義される。
【００５７】
ここで、上りリンクに対するＤＣＩフォーマットには、ＰＵＳＣＨのスケジューリングに関する情報が含まれる。例えば、上りリンクに対するＤＣＩフォーマットには、キャリアインディケータフィールド（CIF: Carrier Indicator Field）、リソースブロック割り当ておよび／またはホッピング（Resource block assignment and/or hopping resource allocation）に関する情報、ＭＣＳおよび／またはリダンダシーバジョン（Modulation and coding scheme and/or redundancy version）に関する情報、ＰＵＳＣＨ送信における送信レイヤーの数を指示するために用いられる情報（Precoding information and number of layers）、などの下りリンク制御情報が含まれる。ここで、上りリンクに対するＤＣＩフォーマットを、上りリンクグラント（uplink grant）、または、上りリンクアサインメント（Uplink assignment）とも称する。
【００５８】
端末装置１は、下りリンクアサインメントを用いてＰＤＳＣＨのリソースがスケジュールされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００５９】
本実施形態において、ＰＤＣＣＨおよびＥＰＤＣＣＨを総称して、単にＰＤＣＣＨとも称する。本実施形態において、ＰＤＣＣＨ候補およびＥＰＤＣＣＨ候補を総称して、単にＰＤＣＣＨ候補とも称する。
【００６０】
ここで、下りリンク制御情報の送信（ＰＤＣＣＨでの送信）には、基地局装置３が、端末装置１に割り当てたＲＮＴＩが利用される。具体的には、ＤＣＩフォーマット（DCI: 下りリンク制御情報でもよい）にＣＲＣ（Cyclic Redundancy check: 巡回冗長検査）パリティビットが付加され、付加された後に、ＣＲＣパリティビットがＲＮＴＩによってスクランブルされる。ここで、ＤＣＩフォーマットに付加されるＣＲＣパリティビットは、対応するＤＣＩフォーマットのペイロードから得られてもよい。
【００６１】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００６２】
ここで、ＲＮＴＩには、Ｃ−ＲＮＴＩ（Cell-Radio Network Temporary Identifier）が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用され
てもよい。
【００６３】
また、ＲＮＴＩには、ＳＰＳ  Ｃ−ＲＮＴＩ（Semi-Persistent Scheduling C-RNTI）が含まれてもよい。ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。
【００６４】
また、ＲＮＴＩには、Ｔｅｍｐｏｒａｒｙ  Ｃ−ＲＮＴＩが含まれてもよい。ここで、Ｔｅｍｐｏｒａｒｙ  Ｃ−ＲＮＴＩは、コンテンションベースランダムアクセス手順の間に使用される、端末装置１が送信したプリアンブルに対するユニークな（一意的な）識別子である。また、Ｔｅｍｐｏｒａｒｙ  Ｃ−ＲＮＴＩは、動的（dynamically）にスケジュールされる送信のために利用されてもよい。
【００６５】
ＰＤＳＣＨは、下りリンクデータ（Downlink Shared Channel: DL-SCH）を送信するために用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００６６】
ＰＭＣＨは、マルチキャストデータ（Multicast Channel: MCH）を送信するために用いられる。
【００６７】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００６８】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００６９】
下りリンク参照信号は、端末装置１が下りリンク物理チャネルの伝搬路補正を行なうために用いられる。ここで、下りリンク参照信号は、端末装置１が下りリンクのＣＳＩを算出するために用いられる。
【００７０】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００７１】
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００７２】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００７３】
また、端末装置１は、シングルアンテナ送信、送信ダイバーシチ、ＭＩＭＯ（Multiple Input Multiple Output）等、使用可能な送信方法の異なる複数の送信モードを切り替えて使用する。例えば、送信モードは送信モード１〜１０の中から基地局により指示された送信モードを使用する。例えば、送信モード１０は、複数のＣＳＩプロセスを設定可能な送信モードである。
【００７４】
以下、キャリアアグリゲーションについて説明する。
【００７５】
本実施形態において、端末装置１に対して、１つまたは複数のサービングセルが設定されてもよい。端末装置１が複数のサービングセルを介して通信する技術をキャリアアグリゲーション、または、セルアグリゲーションと称する。
【００７６】
ここで、端末装置１に対して設定される１つまたは複数のサービングセルのそれぞれにおいて、本実施形態が適用されてもよい。また、端末装置１に対して設定される１つまたは複数のサービングセルの一部において、本実施形態が適用されてもよい。また、後述する、端末装置１に対して設定される１つまたは複数のサービングセルのグループ（例えば、ＰＵＣＣＨセルグループ）のそれぞれにおいて、本実施形態が適用されてもよい。また、端末装置１に対して設定される１つまたは複数のサービングセルのグループの一部において、本実施形態が適用されてもよい。
【００７７】
また、本実施形態において、ＴＤＤ（Time Division Duplex）および／またはＦＤＤ（Frequency Division Duplex）が適用されてもよい。ここで、キャリアアグリゲーションの場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００７８】
ここで、設定される１つまたは複数のサービングセルには、１つのプライマリーセルと、１つまたは複数のセカンダリーセルとが含まれる。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００７９】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００８０】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００８１】
ここで、プライマリーセルは、ＰＵＣＣＨの送信に対して用いられる。また、プライマリーセルは、非活性化されない。また、クロスキャリアスケジューリングは、プライマリーに適用されない。すなわち、プライマリーセルは、常に、プライマリーセルにおけるＰＤＣＣＨを用いてスケジュールされる。
【００８２】
また、あるセカンダリーセルにおいてＰＤＣＣＨ（ＰＤＣＣＨのモニタでもよい）が設定された場合には、クロスキャリアスケジューリングは、該あるセカンダリーセルには適用されなくてもよい。すなわち、この場合において、該セカンダリーセルは、常に、該セカンダリーセルにおけるＰＤＣＣＨを用いてスケジュールされてもよい。また、あるセカンダリーセルにおいてＰＤＣＣＨ（ＰＤＣＣＨのモニタでもよい）が設定されていない場合には、クロスキャリアスケジューリングが適用され、該セカンダリーセルは、常に、１つの他のサービングセル（one other serving cell）におけるＰＤＣＣＨを用いてスケジュールされてもよい。
【００８３】
ここで、本実施形態において、ＰＵＣＣＨの送信のために用いられるセカンダリーセルを、ＰＵＣＣＨセカンダリーセル、および、スペシャルセカンダリーセルと称する。また、ＰＵＣＣＨの送信のために用いられないセカンダリーセルを、非ＰＵＣＣＨセカンダリーセル、非スペシャルセカンダリーセル、非ＰＵＣＣＨサービングセル、および、非ＰＵＣＣＨセルと称する。また、プライマリーセルおよびＰＵＣＣＨセカンダリーセルを総称して、ＰＵＣＣＨサービングセル、および、ＰＵＣＣＨセルと称する。
【００８４】
ここで、ＰＵＣＣＨサービングセル（プライマリーセル、ＰＵＣＣＨセカンダリーセル）は、常に、下りリンクコンポーネントキャリア、および、上りリンクコンポーネントキャリアを持つ。また、ＰＵＣＣＨサービングセル（プライマリーセル、ＰＵＣＣＨセカンダリーセル）において、ＰＵＣＣＨのリソースが設定される。
【００８５】
また、非ＰＵＣＣＨサービングセル（非ＰＵＣＣＨセカンダリーセル）は、下りリンクコンポーネントキャリアのみを持ってもよい。また、非ＰＵＣＣＨサービングセル（非ＰＵＣＣＨセカンダリーセル）は、下りリンクコンポーネントキャリア、および、上りリンクコンポーネントキャリアを持ってもよい。
【００８６】
端末装置１は、ＰＵＣＣＨサービングセルにおいてＰＵＣＣＨでの送信を行ってもよい。すなわち、端末装置１は、プライマリーセルにおいてＰＵＣＣＨでの送信を行ってもよい。また、端末装置１は、ＰＵＣＣＨセカンダリーセルにおいてＰＵＣＣＨでの送信を行ってもよい。すなわち、端末装置１は、非スペシャルセカンダリーセルにおいてＰＵＣＣＨでの送信を行わない。
【００８７】
ここで、ＰＵＣＣＨセカンダリーセルを、プライマリーセル、および、セカンダリーセルでないサービングセルとして定義してもよい。
【００８８】
すなわち、ＰＵＣＣＨセカンダリーセルは、ＰＵＣＣＨの送信に対して用いられてもよい。ここで、ＰＵＣＣＨセカンダリーセルは、非活性化されなくてもよい。また、後述するように、ＰＵＣＣＨセカンダリーセルは、活性化および／または非活性化されてもよい。
【００８９】
また、クロスキャリアスケジューリングは、ＰＵＣＣＨセカンダリーセルに適用されなくてもよい。すなわち、ＰＵＣＣＨセカンダリーセルは、常に、ＰＵＣＣＨセカンダリーセルにおけるＰＤＣＣＨを用いてスケジュールされてもよい。ここで、クロスキャリアスケジューリングは、ＰＵＣＣＨセカンダリーセルに適用されてもよい。すなわち、ＰＵＣＣＨセカンダリーセルは、１つの他のサービングセルにおけるＰＤＣＣＨを用いてスケジュールされてもよい。
【００９０】
例えば、ＰＵＣＣＨセカンダリーセルにおいてＰＤＣＣＨ（ＰＤＣＣＨのモニタでもよい）が設定された場合には、クロスキャリアスケジューリングは、該ＰＵＣＣＨセカンダリーセルには適用されなくてもよい。すなわち、この場合において、該ＰＵＣＣＨセカンダリーセルは、常に、該ＰＵＣＣＨセカンダリーセルにおけるＰＤＣＣＨを用いてスケジュールされてもよい。また、ＰＵＣＣＨセカンダリーセルにおいてＰＤＣＣＨ（ＰＤＣＣＨのモニタでもよい）が設定されていない場合には、クロスキャリアスケジューリングが適用され、該ＰＵＣＣＨセカンダリーセルは、常に、１つの他のサービングセルにおけるＰＤＣＣＨを用いてスケジュールされてもよい。
【００９１】
ここで、上りリンク（例えば、上りリンクコンポーネントキャリア）と下りリンク（例えば、下りリンクコンポーネントキャリア）との間において、リンキング（linking）が定義されてもよい。すなわち、上りリンクと下りリンクとの間におけるリンキングに基づいて、下りリンクアサインメントに対するサービングセル（下りリンクアサインメントによってスケジュールされるＰＤＳＣＨでの送信（下りリンクの送信）が行なわれるサービングセル）が識別されてもよい。また、上りリンクと下りリンクとの間におけるリンキングに基づいて、上りリンクグラントに対するサービングセル（上りリンクグラントによってスケジュールされるＰＵＳＣＨでの送信（上りリンクの送信）が行なわれるサービングセル）が識別されてもよい。ここで、該下りリンクアサインメント、または、該上りリンクには、キャリアインディケータフィールドは存在しない。
【００９２】
すなわち、プライマリーセルにおいて受信した下りリンクアサインメントは、プライマリーセルにおける下りリンクの送信に対応してもよい。また、プライマリーセルにおいて受信した上りリンクグラントは、プライマリーセルにおける上りリンクの送信に対応してもよい。また、ＰＵＣＣＨセカンダリーセルにおいて受信した下りリンクアサインメントは、ＰＵＣＣＨセカンダリーセルにおける下りリンクの送信に対応してもよい。また、ＰＵＣＣＨセカンダリーセルにおいて受信した上りリンクグラントは、ＰＵＣＣＨセカンダリーセルにおける上りリンクの送信に対応してもよい。
【００９３】
また、あるセカンダリーセル（ＰＵＣＣＨセカンダリーセル、および／または、非ＰＵＣＣＨセカンダリーセル）において受信した下りリンクアサインメントは、該あるセカンダリーセルにおける下りリンクの送信に対応してもよい。また、あるセカンダリーセル（ＰＵＣＣＨセカンダリーセル、および／または、非ＰＵＣＣＨセカンダリーセル）において受信した上りリンクグラントは、該あるセカンダリーセルにおける上りリンクの送信に対応してもよい。
【００９４】
ここで、基地局装置３は、上位層の信号を用いて、１つまたは複数のサービングセルを設定してもよい。例えば、複数のサービングセルのセットをプライマリーセルと共に形成するために、１つまたは複数のセカンダリーセルが設定されてもよい。ここで、基地局装置３によって設定されるサービングセルに、ＰＵＣＣＨセカンダリーセルが含まれてもよい。
【００９５】
すなわち、ＰＵＣＣＨセカンダリーセルは、基地局装置３によって設定されてもよい。例えば、基地局装置３は、ＰＵＣＣＨセカンダリーセルを設定するために用いられる情報（インデックス）が含まれる上位層の信号を送信してもよい。
【００９６】
また、基地局装置３は、上位層の信号（例えば、ＭＡＣコントロールエレメント）を用いて、１つまたは複数のサービングセルを、活性化（activate）または非活性化（deactivate）してもよい。例えば、活性化または非活性のメカニズムは、ＭＡＣコントロールエレメントと非活性化に関連するタイマー（deactivation timer）の組み合わせに基づいてもよい。
【００９７】
ここで、基地局装置３によって、活性化または非活性化されるセカンダリーセルに、ＰＵＣＣＨセカンダリーセルが含まれてもよい。すなわち、基地局装置３は、単一のコマンド（a single activation/deactivation command）を用いて、ＰＵＣＣＨセカンダリーセルを含む複数のセカンダリーセルを、独立に、活性化または非活性化してもよい。すなわち、基地局装置３は、セカンダリーセルを活性化または非活性化するために用いられる単一のコマンドを、ＭＡＣコントロールエレメントを用いて送信してもよい。
【００９８】
また、非活性化に関連するタイマーの値として、上位層（例えば、ＲＲＣ層）によって、端末装置１毎に、１つの共通の値が設定されてもよい。また、非活性化に関連するタイマー（タイマーの値）は、セカンダリーセル毎に保持（適用）されてもよい。ここで、非活性化に関連するタイマー（タイマーの値）は、非ＰＵＣＣＨセカンダリーセル毎に対してのみ保持されてもよい。すなわち、端末装置１は、非活性化に関連するタイマーを、ＰＵＣＣＨセカンダリーセルに対して適用せず、非ＰＵＣＣＨセカンダリーセル毎に対してのみ保持（適用）してもよい。
【００９９】
また、ＰＵＣＣＨセカンダリーセルに対する非活性化に関連するタイマーと、非ＰＵＣＣＨセカンダリーセルに対する非活性化に関連するタイマーが、それぞれ設定されてもよい。例えば、基地局装置３は、ＰＵＣＣＨセカンダリーセルに対する非活性化に関連するタイマーと設定するための情報が含まれる上位層の信号を送信してもよい。また、基地局装置３は、非ＰＵＣＣＨセカンダリーセルに対する非活性化に関連するタイマーと設定するための情報が含まれる上位層の信号を送信してもよい。
【０１００】
以下、本実施形態におけるスロットの構成について説明する。
【０１０１】
図２は、本実施形態におけるスロットの構成を示す図である。図２において、横軸は時間軸を示しており、縦軸は周波数軸を示している。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。
【０１０２】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【０１０３】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【０１０４】
図３Ａ〜図３Ｃは、本実施形態におけるセルグループを説明するための図である。図３Ａ〜図３Ｃは、ＰＵＣＣＨセルグループの設定（構成、定義）の例として、３つの例（Example (a)、Example (b)、Example (c)）を示している。ここで、本実施形態において、１つまたは複数のサービングセルのグループをＰＵＣＣＨセルグループと称する。ＰＵＣＣＨセルグループは、ＰＵＣＣＨでの送信（ＰＵＣＣＨでの上りリンク制御情報の送信）に関連するグループであってもよい。ここで、あるサービングセルは、何れか１つのＰＵＣＣＨセルグループに属する。ここで、ＰＵＣＣＨセルグループは、図３Ａ〜図３Ｃに示す例とは異なるように設定されてもよいことは勿論である。
【０１０５】
ここで、ＰＵＣＣＨセルグループは、基地局装置３によって設定されてもよい。例えば、基地局装置３は、ＰＵＣＣＨセルグループを設定するために用いられる情報（インデックス、セルグループインデックスでもよい）が含まれる上位層の信号を送信してもよい。
【０１０６】
ここで、本実施形態は、上述のＰＵＣＣＨセルグループとは異なる、１つまたは複数のサービングセルのグループに対しても適用可能なことは勿論である。例えば、基地局装置３は、キャリアインディケータフィールド（CIF）を用いて指示されるサービングセルに対応させて、１つまたは複数のサービングセルのグループを設定してもよい。すなわち、基地局装置３は、上りリンクの送信に関連させて、１つまたは複数のサービングセルのグループを設定してもよい。また、基地局装置３は、下りリンクの送信に関連させて、１つまたは複数のサービングセルのグループを設定してもよい。
【０１０７】
以下、基地局装置３によって設定される１つまたは複数のサービングセルのグループを、セルグループとも称する。すなわち、ＰＵＣＣＨセルグループは、セルグループに含まれる。ここで、基地局装置３および／または端末装置１は、本実施形態において記載される動作を、セルグループにそれぞれにおいて実行してもよい。すなわち、基地局装置３および／または端末装置１は、本実施形態において記載される動作を、１つのセルグループにおいて実行してもよい。
【０１０８】
ここで、例えば、基地局装置３および／または端末装置１は、３２までの下りリンクコンポーネントキャリア（下りリンクのセル、up to 32 downlink component carriers）のキャリアアグリゲーションをサポートしてもよい。すなわち、基地局装置３および／または端末装置１は、３２までのサービングセルにおいて、同時に複数の物理チャネルでの送信、および／または受信を行うことができる。ここで、上りリンクのコンポーネントキャリアの数は、下りリンクのコンポーネントキャリアの数より少なくてもよい。
【０１０９】
また、基地局装置３および／または端末装置１は、例えば、５までの下りリンクコンポーネントキャリア（下りリンクのセル、up to 5 downlink component carriers）のキャリアアグリゲーションをサポートしてもよい。すなわち、基地局装置３および／または端末装置１は、５までのサービングセルにおいて、同時に複数の物理チャネルでの送信、および／または受信を行うことができる。ここで、上りリンクのコンポーネントキャリアの数は、下りリンクのコンポーネントキャリアの数より少なくてもよい。
【０１１０】
図３Ａは、セルグループ（ここでは、ＰＵＣＣＨセルグループ）として、第１のセルグループ、第２のセルグループが設定されていることを示している。例えば、図３Ａにおいて、基地局装置３は、第１のセルグループにおいて下りリンク信号を送信し、端末装置３は、第１のセルグループにおいて上りリンク信号を送信してもよい（第１のセルグループにおけるＰＵＣＣＨで上りリンク制御情報を送信してもよい）。例えば、第１のセルグループにおいて２０のサービングセル（下りリンクコンポーネントキャリア、下りリンクセル）が設定または活性化された場合には、基地局装置３と端末装置１は、該２０の下りリンクコンポーネントキャリアに対する上りリンク制御情報を送受信してもよい。
【０１１１】
すなわち、端末装置１は、２０の下りリンクコンポーネントキャリアに対応するＨＡＲＱ−ＡＣＫ（ＰＤＳＣＨでの送信に対するＨＡＲＱ−ＡＣＫ、トランスポートブロックに対するＨＡＲＱ−ＡＣＫ）を送信してもよい。また、端末装置１は、２０の下りリンクコンポーネントキャリアに対応するＣＳＩを送信してもよい。また、端末装置１は、セルグループ毎にＳＲを送信してもよい。同様に、基地局装置３と端末装置１は、第２のセルグループにおいて上りリンク制御情報を送受信してもよい。
【０１１２】
同様に、基地局装置３と端末装置１は、図３Ｂに示すようにセルグループを設定し、上りリンク制御情報を送受信してもよい。また、基地局装置３と端末装置１は、図３Ｃに示すようにセルグループを設定し、上りリンク制御情報を送受信してもよい。
【０１１３】
ここで、１つのセルグループ（例えば、ＰＵＣＣＨセルグループ）は、少なくとも、１つのサービングセル（例えば、ＰＵＣＣＨサービングセル）を含んでもよい。また、１つのセルグループ（例えば、ＰＵＣＣＨセルグループ）は、１つのサービングセルのみ（例えば、ＰＵＣＣＨサービングセルのみ）を含んでもよい。また、例えば、１つのＰＵＣＣＨセルグループは、１つのＰＵＣＣＨサービングセル、および、１つまたは複数の非ＰＵＣＣＨサービングセルを含んでもよい。
【０１１４】
ここで、プライマリーセルを含むセルグループを、プライマリーセルグループと称する。また、プライマリーセルを含まないセルグループを、セカンダリーセルグループと称する。また、プライマリーセルを含むＰＵＣＣＨセルグループを、プライマリーＰＵＣＣＨセルグループと称する。また、プライマリーセルを含まないＰＵＣＣＨセルグループを、セカンダリーＰＵＣＣＨセルグループと称する。
【０１１５】
すなわち、セカンダリーＰＵＣＣＨセルグループは、ＰＵＣＣＨセカンダリーセルを含んでもよい。例えば、プライマリーＰＵＣＣＨセルグループに対するインデックスは常に０として定義されてもよい。また、セカンダリーＰＵＣＣＨセルグループに対するインデックスは、基地局装置３（ネットワーク装置でもよい）によって設定されてもよい。
【０１１６】
ここで、基地局装置３は、ＰＵＣＣＨセカンダリーセルを指示するために用いられる情報を、上位層の信号、および／または、ＰＤＣＣＨ（ＰＤＣＣＨで送信される下りリンク制御情報）に含めて送信してもよい。端末装置１は、ＰＵＣＣＨセカンダリーセルを指示するために用いられる情報に基づいて、ＰＵＣＣＨセカンダリーセルを決定してもよい。ここで、ＰＵＣＣＨセカンダリーセルのセルインデックスは、仕様書などによって、予め規定されてもよい。
【０１１７】
上述したように、ＰＵＣＣＨサービングセルにおけるＰＵＣＣＨは、該ＰＵＣＣＨサービングセルが属するＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、ＣＳＩ（例えば、ピリオディックＣＳＩ）、および／または、ＳＲ）を送信するために用いられてもよい。
【０１１８】
すなわち、ＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、ＣＳＩ（例えば、ピリオディックＣＳＩ）、および／または、ＳＲ）は、該ＰＵＣＣＨセルグループに含まれるＰＵＣＣＨサービングセルにおけるＰＵＣＣＨを用いて送信される。
【０１１９】
ここで、本実施形態は、ＨＡＲＱ−ＡＣＫの送信のみに対して適用されてもよい。また、本実施形態は、ＣＳＩ（例えば、ピリオディックＣＳＩ）の送信のみに対して適用されてもよい。また、本実施形態は、ＳＲの送信のみに対して適用されてもよい。また、本実施形態は、ＨＡＲＱ−ＡＣＫの送信、ＣＳＩ（例えば、ピリオディックＣＳＩ）の送信、および／または、ＳＲの送信に対して適用されてもよい。
【０１２０】
すなわち、ＨＡＲＱ−ＡＣＫの送信に対するセルグループ（ＰＵＣＣＨセルグループでもよい）が設定されてもよい。また、ＣＳＩ（例えば、ピリオディックＣＳＩ）の送信に対するセルグループ（ＰＵＣＣＨセルグループでもよい）が設定されてもよい。また、ＳＲの送信に対するセルグループ（ＰＵＣＣＨセルグループでもよい）が設定されてもよい。
【０１２１】
例えば、ＨＡＲＱ−ＡＣＫの送信に対するセルグループ、ＣＳＩ（例えば、ピリオディックＣＳＩ）の送信に対するセルグループ、および／または、ＳＲの送信に対するセルグループが、個別に設定されてもよい。また、ＨＡＲＱ−ＡＣＫの送信に対するセルグループ、ＣＳＩ（例えば、ピリオディックＣＳＩ）の送信に対するセルグループ、および／または、ＳＲの送信に対するセルグループとして、共通のセルグループが設定されてもよい。
【０１２２】
ここで、ＨＡＲＱ−ＡＣＫの送信に対するセルグループの数は１つ、または、２つであってもよい。ＣＳＩの送信に対するセルグループの数は１つ、または、２つでもよい。ＳＲの送信に対するセルグループの数は１つ、または、２つであってもよい。また、ＣＳＩ（例えば、ピリオディックＣＳＩ）の送信に対するセルグループ、および／または、ＳＲの送信に対するセルグループは、設定（定義）されなくてもよい。
【０１２３】
ここで、ＰＵＣＣＨに対して、複数のフォーマットが定義（サポート）されてもよい。ＰＵＣＣＨに対してサポートされるフォーマット（ＰＵＣＣＨがサポートするフォーマット）は、ＰＵＣＣＨフォーマットとも称される。例えば、以下のＰＵＣＣＨフォーマットを用いることによって、ＰＵＣＣＨでの上りリンク制御情報の組み合わせ（上りリンク制御情報の組み合わせの送信）がサポートされる。
・フォーマット１
・フォーマット１ａ
・フォーマット１ｂ
・フォーマット２
・フォーマット２ａ
・フォーマット２ｂ
・フォーマット３
・フォーマット４
（・フォーマット４ａ）
（・フォーマット４ｂ）
【０１２４】
ＰＵＣＣＨフォーマット１は、ポジティブＳＲ（positive SR）に対して定義されてもよい。例えば、ポジティブＳＲは、ＵＬ−ＳＣＨリソースを要求することを示すために用いられてもよい。ここで、ネガティブＳＲ（negative SR）は、ＵＬ−ＳＣＨリソースを要求しないことを示すために用いられてもよい。以下、ＰＵＣＣＨフォーマット１を、第１のＰＵＣＣＨフォーマットとも称する。
【０１２５】
また、ＰＵＣＣＨフォーマット１ａは、１ビットのＨＡＲＱ−ＡＣＫ（1-bit HARQ-ACK）、または、ポジティブＳＲを伴う１ビットのＨＡＲＱ−ＡＣＫ（1-bit HARQ-ACK with positive SR）に対して定義されてもよい。また、ＰＵＣＣＨフォーマット１ｂは、２ビットのＨＡＲＱ−ＡＣＫ（2-bit HARQ-ACK）、または、ポジティブＳＲを伴う２ビットのＨＡＲＱ−ＡＣＫ（2-bit HARQ-ACK with positive SR）に対して定義されてもよい。また、ＰＵＣＣＨフォーマット１ｂは、チャネル選択による４ビット以下のＨＡＲＱ−ＡＣＫの送信（up to 4-bit HARQ-ACK with channel selection）に対して定義されてもよい。以下、ＰＵＣＣＨフォーマット１ａ、および／または、ＰＵＣＣＨフォーマット１ｂを、第２のＰＵＣＣＨフォーマットとも称する。
【０１２６】
また、ＰＵＣＣＨフォーマット２は、ＨＡＲＱ−ＡＣＫが多重されない場合における１つのＣＳＩレポート（a CSI report when not multiplexed with HARQ-ACK）に対して定義されてもよい。また、ＰＵＣＣＨフォーマット２ａは、１ビットのＨＡＲＱ−ＡＣＫが多重された１つのＣＳＩレポート（a CSI report multiplexed with 1-bit HARQ-ACK）に対して定義されてもよい。また、ＰＵＣＣＨフォーマット２ｂは、２ビットのＨＡＲＱ−ＡＣＫが多重された１つのＣＳＩレポート（a CSI report multiplexed with 1-bit HARQ-ACK）に対して定義されてもよい。ここで、ＰＵＣＣＨフォーマット２は、拡張サイクリックプリフィックスに対するＨＡＲＱ−ＡＣＫが多重された１つのＣＳＩレポート（a CSI report multiplexed with HARQ-ACK for extended cyclic prefix）に対して定義されてもよい。以下、ＰＵＣＣＨフォーマット２、ＰＵＣＣＨフォーマット２ａ、および／または、ＰＵＣＣＨフォーマット２ｂを、第３のＰＵＣＣＨフォーマットとも称する。
【０１２７】
また、ＰＵＣＣＨフォーマット３は、１０ビット以下のＨＡＲＱ−ＡＣＫ（up to 10-bit HARQ-ACK）に対して定義されてもよい。例えば、ＰＵＣＣＨフォーマット３は、ＦＤＤ、または、ＦＤＤ−ＴＤＤプライマリーセルフレーム構造タイプ１に対して、１０ビット以下のＨＡＲＱ−ＡＣＫに対して定義されてもよい。
【０１２８】
また、ＰＵＣＣＨフォーマット３は、２０ビット以下のＨＡＲＱ−ＡＣＫ（up to 20-bit HARQ-ACK）に対して定義されてもよい。例えば、ＰＵＣＣＨフォーマット３は、ＴＤＤに対して、２０ビット以下のＨＡＲＱ−ＡＣＫに対して定義されてもよい。また、ＰＵＣＣＨフォーマット３は、２１ビット以下のＨＡＲＱ−ＡＣＫ（up to 21-bit HARQ-ACK）に対して定義されてもよい。例えば、ＰＵＣＣＨフォーマット３は、ＦＤＤ−ＴＤＤプライマリーセルフレーム構造タイプ２に対して、２１ビット以下のＨＡＲＱ−ＡＣＫに対して定義されてもよい。
【０１２９】
また、ＰＵＣＣＨフォーマット３は、１０ビットのＨＡＲＱ−ＡＣＫおよび１ビットのポジティブ／ネガティブＳＲに対応する１１ビット以下（up to 11-bit corresponding to up to 10-bit HARQ-ACK and 1-bit positive/negative SR）に対して定義されてもよい。例えば、ＰＵＣＣＨフォーマット３は、ＦＤＤ、または、ＦＤＤ−ＴＤＤに対して、１０ビットのＨＡＲＱ−ＡＣＫおよび１ビットのポジティブ／ネガティブＳＲに対応する１１ビット以下に対して定義されてもよい。
【０１３０】
また、ＰＵＣＣＨフォーマット３は、２０ビットのＨＡＲＱ−ＡＣＫおよび１ビットのポジティブ／ネガティブＳＲに対応する２１ビット以下（up to 21-bit corresponding to up to 20-bit HARQ-ACK and 1-bit positive/negative SR）に対して定義されてもよい。例えば、ＰＵＣＣＨフォーマット３は、ＴＤＤに対して、２０ビットのＨＡＲＱ−ＡＣＫおよび１ビットのポジティブ／ネガティブＳＲに対応する２１ビット以下に対して定義されてもよい。また、ＰＵＣＣＨフォーマット３は、２１ビットのＨＡＲＱ−ＡＣＫおよび１ビットのポジティブ／ネガティブＳＲに対応する２２ビット以下（up to 22-bit corresponding to up to 20-bit HARQ-ACK and 1-bit positive/negative SR）に対して定義されてもよい。例えば、ＰＵＣＣＨフォーマット３は、ＦＤＤ−ＴＤＤプライマリーセルフレーム構造タイプ２に対して、２１ビットのＨＡＲＱ−ＡＣＫおよび１ビットのポジティブ／ネガティブＳＲに対応する２２ビット以下に対して定義されてもよい。
【０１３１】
ここで、ＰＵＣＣＨフォーマット３を用いて上りリンク制御情報（HARQ-ACK、SR、および／または、CSI）が送信される場合において、第１のコーディング方法（例えば、Reed Muller code（Reed Muller coding）、または、（32, O）block code（（32, O）block coding））が用いられてもよい。ここで、例えば、（32, O）block codeに対する基準系列（Basis sequences）は、予め仕様書などによって与えられてもよい。
【０１３２】
また、ＰＵＣＣＨフォーマット３は、ＨＡＲＱ−ＡＣＫおよび１つのサービングセルに対するＣＳＩレポート（HARQ-ACK and a CSI report for one serving cell）に対して定義されてもよい。また、ＰＵＣＣＨフォーマット３は、ＨＡＲＱ−ＡＣＫおよび１つのサービングセルに対する１つのＣＳＩレポートに対して定義されてもよい。また、ＰＵＣＣＨフォーマット３は、複数のＣＳＩレポートに対して定義されてもよい。また、ＰＵＣＣＨフォーマット３は、ＨＡＲＱ−ＡＣＫおよび複数のＣＳＩレポートに対して定義されてもよい。また、ＰＵＣＣＨフォーマット３は、ＨＡＲＱ−ＡＣＫ、１ビットのポジティブ／ネガティブＳＲ、および、１つのサービングセルに対するＣＳＩレポート（HARQ-ACK, 1-bit positive/negative SR (if any) and a CSI report for one serving cell）に対して定義されてもよい。また、ＰＵＣＣＨフォーマット３は、ＨＡＲＱ−ＡＣＫ、１ビットのポジティブ／ネガティブＳＲ、および、１つのＣＳＩレポートに対して定義されてもよい。また、ＰＵＣＣＨフォーマット３は、ＨＡＲＱ−ＡＣＫ、１ビットのポジティブ／ネガティブＳＲ、および、複数のＣＳＩレポートに対して定義されてもよい。以下、ＰＵＣＣＨフォーマット３を、第４のＰＵＣＣＨフォーマットとも称する。
【０１３３】
また、ＰＵＣＣＨフォーマット４は、数が３２までのサービングセル（下りリンクコンポーネントキャリア、下りリンクセル）に対応するＨＡＲＱ−ＡＣＫに対して定義されてもよい。また、ＰＵＣＣＨフォーマット４は、ＨＡＲＱ−ＡＣＫおよび１つまたは複数のＣＳＩレポートに対して定義されてもよい。また、ＰＵＣＣＨフォーマット４は、ＨＡＲＱ−ＡＣＫおよびＳＲに対して定義されてもよい。また、ＰＵＣＣＨフォーマット４は、ＨＡＲＱ−ＡＣＫ、ＳＲ、および、１つまたは複数のＣＳＩレポートに対して定義されてもよい。ここで、当該１つまたは複数のＣＳＩレポートは、１つのサービングセルに対するＣＳＩレポートであってもよい。また、当該１つまたは複数のＣＳＩレポートは、複数のサービングセルに対する複数のＣＳＩレポートであってもよい。また、当該１つまたは複数のＣＳＩレポートは、１つのサービングセルに対して、１つのＣＳＩプロセスに対する１つのＣＳＩレポートを含んでもよい。また、当該１つまたは複数のＣＳＩレポートは１つのＣＳＩプロセスに対する１つのＣＳＩレポートであってもよい。また、当該１つまたは複数のＣＳＩレポートは複数のＣＳＩプロセスに対する複数のＣＳＩレポートであってもよい。また、当該１つまたは複数のＣＳＩレポートは、１つのサービングセルに対して、１つのサブフレームセットに対する１つのＣＳＩレポートを含んでもよい。また、当該１つまたは複数のＣＳＩレポートは複数のサブフレームセットに対する複数のＣＳＩレポートであってもよい。また、ＳＲは、ポジティブＳＲおよび／またはネガティブＳＲであってもよい。ただし、ＨＡＲＱ−ＡＣＫのために用いられる場合と、複数のサービングセルあるいは複数のＣＳＩプロセスに対する１つまたは複数のＣＳＩレポートのために用いられる場合と、ＨＡＲＱ−ＡＣＫと１つまたは複数のＣＳＩレポートを同時に送信するために用いられる場合と、で共通のＰＵＣＣＨフォーマット４ではなく、そのいずれかにおいて異なるＰＵＣＣＨフォーマットが用いられてもよい。（例えば、それぞれＰＵＣＣＨフォーマット４、ＰＵＣＣＨフォーマット４ａ、ＰＵＣＣＨフォーマット４ｂと定義されてもよい。）以下、ＰＵＣＣＨフォーマット４（ＰＵＣＣＨフォーマット４ａ、ＰＵＣＣＨフォーマット４ｂが含まれてもよい）を、第５のＰＵＣＣＨフォーマットとも称する。
【０１３４】
ここで、第５のＰＵＣＣＨフォーマットを用いて上りリンク制御情報が送信される場合において、第２のコーディング方法（例えば、Tail biting convolutional encoder（Tail biting convolutional coding）、または、Turbo encoder（Turbo coding）が用いられてもよい。
【０１３５】
すなわち、第５のＰＵＣＣＨフォーマットを用いて送信される（送信可能な）サブフレーム辺りのビット数（Number of bits per subframe）は、第４のＰＵＣＣＨフォーマットを用いて送信される（送信可能な）サブフレーム辺りのビット数よりも多くてもよい。すなわち、第５のＰＵＣＣＨフォーマットを用いて送信される（送信可能な）サブフレーム辺りの情報量は、第４のＰＵＣＣＨフォーマットを用いて送信される（送信可能な）サブフレーム辺りの情報量よりも多くてもよい。また、上述の通り、第４のＰＵＣＣＨフォーマットを用いた上りリンク制御情報の送信と第５のＰＵＣＣＨフォーマットを用いた上りリンク制御情報の送信に対して、異なるコーディング方法が用いられてもよい。
【０１３６】
ここで、第３のＰＵＣＣＨフォーマットを用いてＨＡＲＱ−ＡＣＫを送信する場合において、端末装置１は、ＨＡＲＱ−ＡＣＫビットの数を、少なくとも、設定されたサービングセルの数と、各サービングセル（該設定されたサービングセルのそれぞれ）に対して設定された下りリンクの送信モードに基づいて決定してもよい。また、第５のＰＵＣＣＨフォーマットを用いてＨＡＲＱ−ＡＣＫを送信する場合において、端末装置１は、ＨＡＲＱ−ＡＣＫビットの数を、少なくとも、設定または活性化されたサービングセルの数と、各サービングセル（該設定または活性化されたサービングセルのそれぞれ）に対して設定された下りリンクの送信モードに基づいて決定してもよい。
【０１３７】
また、第４のＰＵＣＣＨフォーマットを用いてＨＡＲＱ−ＡＣＫを送信する場合において、端末装置１は、ＨＡＲＱ−ＡＣＫのビットの数を、少なくとも、設定されたサービングセルの数と、各サービングセル（該設定されたサービングセルのそれぞれ）に対して設定された下りリンクの送信モードに基づいて決定してもよい。また、第５のＰＵＣＣＨフォーマットを用いてＨＡＲＱ−ＡＣＫを送信する場合において、端末装置１は、ＨＡＲＱ−ＡＣＫビットの数を、少なくとも、設定または活性化されたサービングセルの数と、各サービングセル（該設定または活性化されたサービングセルのそれぞれ）に対して設定された下りリンクの送信モードに基づいて決定してもよい。
【０１３８】
ここで、例えば、端末装置１は、２つまでのトランスポートブロックをサポートする下りリンクの送信モード（a downlink transmission mode that supports up to two transport blocks）が設定されたサービングセルに対して２ビットのＨＡＲＱ−ＡＣＫビットを用い、それ以外は（例えば、１つのトランスポートブロックをサポートする下りリンクの送信モード（a downlink transmission mode that supports one transport blocks）が設定されたサービングセルに対して）、１ビットのＨＡＲＱ−ＡＣＫビットを用いてもよい。ここで、例えば、２つまでのトランスポートブロックをサポートする下りリンクの送信モードには、送信モード３、送信モード４、送信モード８、送信モード９、および／または、送信モード１０が含まれてもよい。また、１つのトランスポートブロックをサポートする下りリンクの送信モードには、送信モード１、送信モード２、送信モード５、送信モード６、および／または、送信モード７が含まれてもよい。
【０１３９】
上述したとおり、基地局装置３は、サービングセルを、上位層の信号（例えば、ＲＲＣシグナリング）を用いて端末装置１へ設定してもよい。また、基地局装置３は、下りリンクの送信モード（例えば、ＲＲＣシグナリング）を、上位層の信号を用いて端末装置１へ設定してもよい。例えば、基地局装置３は、ＰＤＳＣＨでの送信に関連する下りリンクの送信モードを端末装置１へ設定してもよい。すなわち、第４のＰＵＣＣＨフォーマット、および／または、第５のＰＵＣＣＨフォーマットを用いたＨＡＲＱ−ＡＣＫの送信に対して、ＨＡＲＱ−ＡＣＫのビット数は、ＲＲＣ層において（ＲＲＣ層における情報に基づいて）決定されてもよい。
【０１４０】
ここで、基地局装置３は、上位層の信号（上位層の信号を用いて送信される情報）および／またはＰＤＣＣＨ（ＰＤＣＣＨを用いて送信される下りリンク制御情報）を用いて、上りリンク制御情報の送信（例えば、ＨＡＲＱ−ＡＣＫの送信）に対して、チャネル選択を伴うＰＵＣＣＨフォーマット１ｂ、ＰＵＣＣＨフォーマット３、または、ＰＵＣＣＨフォーマット４（ＰＵＣＣＨフォーマット４ａおよび／またはＰＵＣＣＨフォーマット４ｂであってもよい）の何れか１つを用いるよう、端末装置１に対して設定してもよい。すなわち、基地局装置３は、上りリンク制御情報の送信に対して、チャネル選択を伴うＰＵＣＣＨフォーマット１ｂを用いるよう、端末装置１に対して設定してもよい。また、基地局装置３は、上りリンク制御情報の送信に対して、ＰＵＣＣＨフォーマット３を用いるよう、端末装置１に対して設定してもよい。また、基地局装置３は、上りリンク制御情報の送信に対して、ＰＵＣＣＨフォーマット４（ＰＵＣＣＨフォーマット４ａおよび／またはＰＵＣＣＨフォーマット４ｂであってもよい）を用いるよう、端末装置１に対して設定してもよい。
【０１４１】
例えば、基地局装置３は、セルグループ毎に、チャネル選択を伴うＰＵＣＣＨフォーマット１ｂ、ＰＵＣＣＨフォーマット３、または、ＰＵＣＣＨフォーマット４（ＰＵＣＣＨフォーマット４ａおよび／またはＰＵＣＣＨフォーマット４ｂであってもよい）の何れか１つを用いるよう、端末装置１に対して設定してもよい。すなわち、基地局装置３は、チャネル選択を伴うＰＵＣＣＨフォーマット１ｂ、ＰＵＣＣＨフォーマット３、または、ＰＵＣＣＨフォーマット４（ＰＵＣＣＨフォーマット４ａおよび／またはＰＵＣＣＨフォーマット４ｂであってもよい）の何れか１つを用いるよう、端末装置１に対して、各セルグループに対して、独立に設定してもよい。すなわち、端末装置１は、チャネル選択を伴うＰＵＣＣＨフォーマット１ｂ、ＰＵＣＣＨフォーマット３、または、ＰＵＣＣＨフォーマット４（ＰＵＣＣＨフォーマット４ａおよび／またはＰＵＣＣＨフォーマット４ｂであってもよい）の何れか１つを用いるよう、基地局装置３によって設定されてもよい。
【０１４２】
また、端末装置１は、フレーム構造タイプ１および／またはフレーム構造タイプ２を伴う１つよりも多いサービングセル（１つよりも多く、５つ以下のサービングセル）が設定された場合において、チャネル選択を伴うＰＵＣＣＨフォーマット１ｂ、ＰＵＣＣＨフォーマット３、または、ＰＵＣＣＨフォーマット４（ＰＵＣＣＨフォーマット４ａおよび／またはＰＵＣＣＨフォーマット４ｂであってもよい）の何れか１つを用いるよう、基地局装置３によって設定されてもよい。また、端末装置１は、フレーム構造タイプ１および／またはフレーム構造タイプ２を伴う５つよりも多いサービングセルが設定された場合において、チャネル選択を伴うＰＵＣＣＨフォーマット１ｂ、ＰＵＣＣＨフォーマット３、または、ＰＵＣＣＨフォーマット４（ＰＵＣＣＨフォーマット４ａおよび／またはＰＵＣＣＨフォーマット４ｂであってもよい）の何れか１つを用いるよう、基地局装置３によって設定されてもよい。
【０１４３】
また、基地局装置３は、ＰＵＣＣＨのリソースを、端末装置１に対して指示（設定、割り当て）してもよい。ここで、ＰＵＣＣＨのリソースには、第１のＰＵＣＣＨリソース（ｎ（１）ＰＵＣＣＨとも称される）、第２のＰＵＣＣＨリソース（ｎ（２）ＰＵＣＣＨとも称される）、第３のＰＵＣＣＨリソース（ｎ（３）ＰＵＣＣＨとも称される）、および、第４のＰＵＣＣＨリソース（ｎ（４）ＰＵＣＣＨとも称される）が含まれてもよい。
【０１４４】
例えば、基地局装置３は、第１のＰＵＣＣＨリソースを設定するために用いられる第１の情報が含まれる上位層の信号を送信してもよい。例えば、ＳＲは、第１のＰＵＣＣＨリソースで送信されてもよい。また、基地局装置３は、ＳＲの送信に対する周期および／またはオフセットを指示するために用いられる第２の情報が含まれる上位層の信号を送信してもよい。端末装置１は、基地局装置３による設定に基づいて、ＳＲを送信してもよい。すなわち、端末装置１は、第１のＰＵＣＣＨリソースおよび／または第１のＰＵＣＣＨフォーマットを用いて、ＳＲを送信してもよい。
【０１４５】
また、基地局装置３は、上位層の信号およびＰＤＣＣＨを用いて、第１のＰＵＣＣＨリソースを指示してもよい。例えば、基地局装置３は、第１のＰＵＣＣＨリソースを設定するために用いられる第３の情報が含まれる上位層の信号を送信してもよい。例えば、第２のＰＵＣＣＨフォーマットに対するＨＡＲＱ−ＡＣＫは、第１のＰＵＣＣＨリソースで送信されてもよい。端末装置１は、ＰＤＣＣＨの送信に対して使用されるＣＣＥ（Control Channel Element）（例えば、ＣＣＥの最小のインデックス（lowest index））、および、第３の情報に基づいて、第１のＰＵＣＣＨリソースを決定してもよい。端末装置１は、第２のＰＵＣＣＨフォーマットに対するＨＡＲＱ−ＡＣＫの送信に対して、第１のＰＵＣＣＨリソースを用いてもよい。すなわち、端末装置１は、第１のＰＵＣＣＨリソースおよび／または第２のＰＵＣＣＨフォーマットを用いてＨＡＲＱ−ＡＣＫを送信してもよい。
【０１４６】
また、基地局装置３は、第２のＰＵＣＣＨリソースを設定するために用いられる第４の情報が含まれる上位層の信号を送信してもよい。例えば、ＣＳＩ（例えば、ピリオディックＣＳＩ）は、第２のＰＵＣＣＨリソースで送信されてもよい。ここで、第２のＰＵＣＣＨリソースは、各サービングセルに対して設定されてもよい。すなわち、各サービングセルに対するＣＳＩが報告されてもよい。また、基地局装置３は、ピリオディックＣＳＩレポート（periodic CSI report）に対する周期および／またはオフセットを指示するために用いられる第５の情報が含まれる上位層の信号を送信してもよい。ここで、第５の情報は、ＣＳＩプロセス毎、サブフレームセット毎、および／または、サービングセル毎の情報であってもよい。端末装置１は、基地局装置３による設定に基づいて、周期的にＣＳＩをレポートしてもよい。すなわち、端末装置１は、第２のＰＵＣＣＨリソースおよび／または第３のＰＵＣＣＨフォーマットを用いて、ピリオディックＣＳＩをレポートしてもよい。
【０１４７】
また、基地局装置３は、上位層の信号およびＰＤＣＣＨ（ＰＤＣＣＨで送信される下りリンク制御情報でもよい）を用いて、第３のＰＵＣＣＨリソースを指示してもよい。例えば、第４のＰＵＣＣＨフォーマットに対するＣＳＩ、ＳＲ、および／またはＨＡＲＱ−ＡＣＫは、第３のＰＵＣＣＨリソースを用いて送信されてもよい。例えば、基地局装置３は、上位層の信号を用いて第３のＰＵＣＣＨリソースに関連する複数の値を設定するための第６の情報を送信し、さらに、ＰＤＣＣＨで送信される下りリンク制御情報のフィールドにセットされる値（1stARI: 1st ACK Resource Indicatorとも称される）に基づいて、該複数の値のうちの１つの値を指示することによって、第３のリソースを指示してもよい。
【０１４８】
例えば、基地局装置３は、上位層の信号を用いて、４つの第３のＰＵＣＣＨリソースに対応する４つの値を設定するための第６の情報を送信してもよい。さらに、基地局装置３は、ＰＤＣＣＨで送信される下りリンク制御情報のフィールドにセットされる値（例えば、２ビットの情報のフィールドにセットされる“００”、“０１”、“１０”、“１１”）に基づいて、該４つの値のうちの１つの値を指示することによって、該１つの値に対応する１つの第３のリソースを指示してもよい。すなわち、端末装置１は、４つの第３のＰＵＣＣＨリソースに対応する４つの値から、下りリンク制御情報のフィールドにセットされる値に応じた１つの値に基づいて、該１つの値に対応する１つの第３のＰＵＣＣＨリソースを決定してもよい。
【０１４９】
例えば、基地局装置３は、ＰＤＣＣＨで送信される、セカンダリーセルに対する下りリンクアサインメントに含まれるＰＵＣＣＨに対する送信電力コマンドフィールド（以下、ＴＰＣコマンドフィールドとも称する）にセットされる値に基づいて、第３のＰＵＣＣＨリソースを指示してもよい。すなわち、セカンダリーセルにおけるＰＤＳＣＨでの送信を指示するために用いられる下りリンクアサインメントに含まれるＴＰＣコマンドフィールドにセットされる値に基づいて、１つの第３のＰＵＣＣＨリソースに対応する１つの値が指示されてもよい。
【０１５０】
ここで、プライマリーセルに対する下りリンクアサインメント（すなわち、プライマリーセルにおけるＰＤＳＣＨでの送信を指示するために用いられる下りリンクアサインメント）に含まれるＴＰＣコマンドフィールドは、ＰＵＣＣＨでの送信に対する送信電力コマンドに対して用いられてもよい。また、ＰＵＣＣＨセカンダリーセルに対する下りリンクアサインメント（すなわち、ＰＵＣＣＨセカンダリーセルにおけるＰＤＳＣＨでの送信を指示するために用いられる下りリンクアサインメントでもよい）に含まれるＴＰＣコマンドフィールドは、ＰＵＣＣＨでの送信に対する送信電力コマンドに対して用いられてもよい。
【０１５１】
また、基地局装置３は、上位層の信号およびＰＤＣＣＨ（ＰＤＣＣＨで送信される下りリンク制御情報でもよい）を用いて、第４のＰＵＣＣＨリソースを指示してもよい。例えば、第５のＰＵＣＣＨフォーマットに対するＣＳＩ、ＳＲ、および／またはＨＡＲＱ−ＡＣＫは、第４のＰＵＣＣＨリソースを用いて送信されてもよい。
【０１５２】
例えば、端末装置１は、あるサブフレームにおいて、第２のＰＵＣＣＨリソースおよび／または第３のＰＵＣＣＨフォーマットを用いてＣＳＩを報告してもよい。すなわち、端末装置１によって第３のＰＵＣＣＨフォーマットを用いてＣＳＩが報告される場合には、第２のＰＵＣＣＨリソースが用いられる。
【０１５３】
また、端末装置１は、あるサブフレームにおいて、第３のＰＵＣＣＨリソースおよび／または第４のＰＵＣＣＨフォーマットを用いてＣＳＩを報告してもよい。すなわち、端末装置１によって第４のＰＵＣＣＨフォーマットを用いてＣＳＩが送信される場合には、第３のＰＵＣＣＨリソースが用いられる。
【０１５４】
また、端末装置１は、あるサブフレームにおいて、第４のＰＵＣＣＨリソースおよび／または第５のＰＵＣＣＨフォーマットを用いてＣＳＩを送信してもよい。すなわち、端末装置１によって第５のＰＵＣＣＨフォーマットを用いてＣＳＩが送信される場合には、第４のＰＵＣＣＨリソースが用いられる。
【０１５５】
ここで、例えば、端末装置１は、サービングセル毎あるいは一部のサービングセルに対応するＣＳＩの報告に対して異なるＰＵＣＣＨフォーマットおよび／または異なるＰＵＣＣＨリソースを用いてもよい。また、端末装置１は、ＣＳＩプロセス毎あるいは一部のＣＳＩプロセスに対応するＣＳＩの報告に対して異なるＰＵＣＣＨフォーマットおよび／または異なるＰＵＣＣＨリソースを用いてもよい。また、端末装置１は、サブフレームセット毎あるいは一部のサブフレームセットに対応するＣＳＩの報告に対して異なるＰＵＣＣＨフォーマット、および／または、異なるＰＵＣＣＨリソースを用いてもよい。
【０１５６】
ここで、同一のＰＵＣＣＨフォーマットを用いる複数のＣＳＩ報告に対して異なるＰＵＣＣＨリソースが用いられてもよい。例えば、第３のＰＵＣＣＨフォーマットを用いる第１のＣＳＩ報告に用いられる第２のＰＵＣＣＨリソースと、第３のＰＵＣＣＨフォーマットを用いる第２のＣＳＩ報告に用いられる第２のＰＵＣＣＨリソースは異なるリソースであってもよい。例えば、第２のＣＳＩの報告に用いられる第２のＰＵＣＣＨリソースとは、第１のＣＳＩ報告に用いられる第２のＰＵＣＣＨリソースに対するリソースインデックスとは異なるリソースインデックスが指示（設定）されたＰＵＣＣＨリソースであってもよい。また、第２のＣＳＩの報告に用いられる第２のＰＵＣＣＨリソースとは、第１のＣＳＩ報告に用いられる第２のＰＵＣＣＨリソースに対するオーソゴナル系列インデックスとは異なるオーソゴナル系列インデックスが指示（設定）されたＰＵＣＣＨリソースであってもよい。また、第２のＣＳＩの報告に用いられる第２のＰＵＣＣＨリソースとは、第１のＣＳＩ報告に用いられる第２のＰＵＣＣＨリソースに対するサイクリックシフトとは異なるサイクリックシフトの値が指示（設定）されたＰＵＣＣＨリソースであってもよい。
【０１５７】
ここで、セルインデックスには、サービングセルを識別するために用いられるアイデンティティに関連するサービングセルインデックス（ServCellIndexとも称される）が含まれる。
【０１５８】
ここで、サービングセルインデックスの値“０”は、プライマリーセルに対して適用されてもよい。また、セカンダリーセルに対して適用されるサービングセルインデックスの値として、割り当てられたセカンダリーセルインデックスの値が用いられてもよい。以下、セカンダリーセルインデックス（ScellIndex）、および／または、サービングセルインデックス（ServCellIndex）を、セルインデックスとも称する。
【０１５９】
ここで、基地局装置３は、セルインデックス（セルインデックスの値）を端末装置１に対して設定してもよい。例えば、基地局装置３は、セルインデックスが含まれる上位層の信号を送信してもよい。端末装置１は、基地局装置３によって設定されたセルインデックスに基づいて、サービングセルのセルインデックスを識別してもよい。すなわち、セルインデックスは、上位層におけるインデックス（ＲＲＣ層におけるインデックス、ＲＲＣのインデックスとも称する）であってもよい。
【０１６０】
以下、基本的には、端末装置１における動作を記載するが、基地局装置３が、端末装置１に対応する動作を行うことは勿論である。また、本実施形態において記載される動作は、セルグループ毎に行われてもよい。すなわち、基地局装置３および／または端末装置１は、本実施形態において記載される動作を、１つのセルグループにおいて行ってもよい。
【０１６１】
また、例えば、本実施形態において記載される動作は、上りリンク制御情報の送信（例えば、ＣＳＩレポートの送信）に対して、ＰＵＣＣＨフォーマット３が設定される場合に対して適用可能であってもよい。また、本実施形態において記載される動作は、上りリンク制御情報の送信（例えば、ＣＳＩレポートの送信）に対して、ＰＵＣＣＨフォーマット４が設定される場合に対して適用可能であってもよい。
【０１６２】
また、本実施形態において記載される動作は、１つのサービングセルが設定される場合に対して適用可能であってもよい。また、本実施形態において記載される動作は、１つよりも多いサービングセルが設定される場合に対して適用可能であってもよい。また、本実施形態において記載される動作は、５つよりも多いサービングセルが設定される場合に対して適用可能であってもよい。ここで、１つよりも多いサービングセルが設定される場合とは、１つよりも多く５つ以下のサービングセルが設定される場合のことであってもよい。
【０１６３】
以下、本実施形態のＰＵＣＣＨを用いたピリオディックＣＳＩの報告（periodic CSI reporting）について説明する。ただし、ＣＳＩの報告を行なう上りリンクにおいて複数のＣＳＩサブフレームセットが設定されてもよい。
【０１６４】
基地局装置３は、いずれかの報告モードを用いてＰＵＣＣＨでピリオディックＣＳＩを報告することを端末装置１に対して設定する。基地局装置３は、報告モードとピリオディックＣＳＩの報告に用いるＰＵＣＣＨのリソースとをサービングセル毎に設定する。基地局装置３は、サービングセルのそれぞれに対するピリオディックＣＳＩの報告に関する情報を端末装置１に送信する。
【０１６５】
（Ａ）例えば、報告モード１−０が設定された端末装置１は、ＰＭＩを送信しない。また、報告モード１−０が設定された端末装置１は、サブバンドＣＱＩを送信せず、ワイドバンドＣＱＩを送信する。
（Ｂ）例えば、報告モード１−１が設定された端末装置１は、ＰＭＩを送信する。また、報告モード１−１が設定された端末装置１は、サブバンドＣＱＩを送信せず、ワイドバンドＣＱＩを送信する。
（Ｃ）例えば、報告モード２−０が設定された端末装置１は、ＰＭＩを送信しない。また、報告モード２−０が設定された端末装置１は、サブバンドＣＱＩとワイドバンドＣＱＩを送信する。
（Ｄ）例えば、報告モード２−１が設定された端末装置１は、ＰＭＩを送信する。また、報告モード２−１が設定された端末装置１は、サブバンドＣＱＩとワイドバンドＣＱＩを送信する。
【０１６６】
ワイドバンドＣＱＩは、あるサービングセルのあるサブフレーム内の全ての物理リソースブロックで送信されるＣＲＳおよび／またはＣＳＩ−ＲＳに基づいて計算される。サブバンドＣＱＩは、あるサービングセルのあるサブフレーム内の特定の一部の帯域を構成する物理リソースブロックで送信されるＣＲＳおよび／またはＣＳＩ−ＲＳに基づいて計算される。
【０１６７】
ＣＳＩの報告モードのそれぞれは複数の報告タイプをサポートする。
【０１６８】
（Ａ）例えば、報告タイプ１はサブバンドＣＱＩフィードバックをサポートする。
（Ｂ）例えば、報告タイプ１ａはサブバンドＣＱＩとＰＭＩフィードバックをサポートする。
（Ｃ）例えば、報告タイプ２と報告タイプ２ａと報告タイプ２ｂとはワイドバンドＣＱＩとＰＭＩフィードバックをサポートする。
（Ｄ）例えば、報告タイプ３はＲＩフィードバックをサポートする。
（Ｅ）例えば、報告タイプ４はワイドバンドＣＱＩフィードバックをサポートする。
（Ｆ）例えば、報告タイプ５はＲＩとワイドバンドＰＭＩフィードバックをサポートする。
（Ｇ）例えば、報告タイプ６はＲＩとＰＴＩフィードバックをサポートする。
【０１６９】
端末装置１は、あるサービングセルに対して報告モード１−０を設定された場合、当該サービングセルに対応する報告タイプ３と報告タイプ４のＣＳＩを基地局装置３に報告する。端末装置１は、あるサービングセルに対して報告モード１−１を設定された場合、当該サービングセルに対応する報告タイプ２／２ｂ／２ｃと報告タイプ３と報告タイプ５のＣＳＩを基地局装置３に報告する。
【０１７０】
端末装置１は、あるサービングセルに対して報告モード２−０を設定された場合、当該サービングセルに対応する報告タイプ１と報告タイプ３と報告タイプ４のＣＳＩを基地局装置３に報告する。端末装置１は、あるサービングセルに対して報告モード２−１を設定された場合、当該サービングセルに対応する報告タイプ１／１ａと報告タイプ２／２ａ／２ｂと報告タイプ３と報告タイプ６のＣＳＩを基地局装置３に報告する。
【０１７１】
端末装置１は、あるサービングセルにおいて、ＣＳＩプロセスを複数設定可能な送信モード（例えば送信モード１０）が設定され、あるＣＳＩプロセスにおいてＲＩおよび／またはＰＭＩを報告する場合に、該ＣＳＩプロセスに対してＲＩ参照用ＣＳＩプロセス（RI-reference CSI process）が設定されてよい。端末装置１において、あるＣＳＩプロセスに対してＲＩ参照用ＣＳＩプロセスが設定された場合、該ＣＳＩプロセスで報告されるＲＩは設定されたＲＩ参照用ＣＳＩプロセスに対するＲＩを含むチャネル状態情報の最近の（most recent）報告に含まれるＲＩと同じである。ただし、ＲＩ参照用ＣＳＩプロセスで報告されるＲＩはその他の設定されているＣＳＩプロセスに基づかない。端末装置１は、あるサブフレームにおいて、あるＣＳＩプロセスに関連付けられたＣＳＩを含み、かつ、設定されたＲＩ参照用ＣＳＩプロセスに関連付けられたＣＳＩを含まないＣＳＩレポートをトリガリングするアピリオディックＣＳＩレポートの要求を受信することを期待しない。
【０１７２】
以下、本実施形態のピリオディックＣＳＩの報告におけるＲＩ（ピリオディックＲＩ（periodic RI）とも称する）の報告について説明する。
【０１７３】
端末装置１は、空間多重において使用可能な送信レイヤーの数からＲＩを決定する。送信ダイバーシチの場合についてＲＩは１とする。ＲＩは、ＰＤＳＣＨ（Physical Downlink Shared CHannel）送信に対応し、且つ、端末装置１によって決定されるレイヤーの数に対応する。
【０１７４】
端末装置１は、上位層によって１つまたは複数のＣＳＩプロセスが設定されてもよい。各ＣＳＩプロセスに対しては、上位層によりＣＳＩプロセスインデックスが設定される。ＣＳＩプロセスのそれぞれにおいて、上位層のシグナリングにより、ＰＭＩおよび／またはＲＩの報告を行なうか否かが設定される。端末装置１は、ＲＩの報告間隔毎にＲＩの値のサポートされるセットの中から１つのＲＩを決定し、ＲＩの報告を行なう毎に送信レイヤーの数を報告する。
【０１７５】
また、端末装置１は、上位層によって１つまたは複数のＣＳＩサブフレームセット（例えばＣＳＩサブフレームセット０とＣＳＩサブフレームセット１）が設定されてもよい。複数のサブフレームセットが設定された端末装置１は、サブフレームセット毎に独立してＣＱＩやＲＩの設定（例えば、報告タイミングの周期やオフセットであってもよい）が行われてよい。
【０１７６】
以下、各報告モードにおけるＲＩおよびＣＱＩの報告手順について説明する。ただし、以下ではＲＩおよびＣＱＩについて説明するが、その他のＣＳＩ（例えば、ＰＭＩやＰＴＩ等）について任意の手順で同時に報告されてもよい。
【０１７７】
報告モード１−０である場合、ＲＩおよびＣＱＩは下記の通り計算される。
【０１７８】
（報告モード１−０のＲＩについて）端末装置１は、送信モード３である場合に、ＲＩを報告するサブフレームにおいて、サブバンドとして設定されうる全周波数帯域（set S subandsと称される場合がある）の送信と仮定した場合のＲＩを決定し、報告タイプ３を用いて報告する。
【０１７９】
（報告モード１−０のＣＱＩについて）端末装置１は、ＣＱＩを報告するサブフレームにおいて、サブバンドとして設定されうる全周波数帯域の送信を仮定して計算された１つのワイドバンドＣＱＩで構成される報告タイプ４を用いてＣＱＩを報告する。ただし、送信モード３である場合、ＣＱＩは最後に報告されたピリオディックＲＩに基づいて計算される。その他の送信モードの場合、ＣＱＩはランクが１であるものとして計算される。
【０１８０】
報告モード１−１である場合、ＲＩおよびＣＱＩは下記の通り計算される。
【０１８１】
（報告モード１−１のＲＩについて）端末装置１は、ＲＩを報告するサブフレームにおいて、送信モード１０が設定されており、かつ、あるＣＳＩプロセスに対してＲＩ参照ＣＳＩプロセスが設定されている場合、サブフレームセットの設定に関わりなく、当該ＣＳＩプロセスのＲＩを設定されたＲＩ参照ＣＳＩプロセスのＲＩを含む最近の（most recent）ＣＳＩレポートのＲＩと同じ値とする。それ以外の場合には、端末装置１は、サブバンドとして設定されうる全周波数帯域の送信を仮定したＲＩを決定する。端末装置１は、報告タイプ３（ＰＭＩを伴わない場合）または報告タイプ５（ＰＭＩを伴う場合）を用いて決定したＲＩを報告する。
【０１８２】
（報告モード１−１のＣＱＩについて）端末装置１は、所定の送信モード（例えば、送信モード４、８、９、１０）である場合、ＣＱＩを報告するサブフレームにおいて、下記の通り、ＣＱＩを報告する。端末装置１に送信モード１０が設定されており、あるＣＳＩプロセスに対してＲＩ参照ＣＳＩプロセスが設定されており、当該ＣＳＩプロセスの最近の報告タイプ３の報告がドロップされており、かつ、当該ＣＳＩプロセスのためのＲＩ参照ＣＳＩプロセスにおいて最近の報告タイプ３の報告がされている場合、当該ＣＳＩプロセスのためのＣＱＩは、前記ＲＩ参照ＣＳＩプロセスで報告されたピリオディックＲＩに基づいて計算される。端末装置１に送信モード１０が設定されており、あるＣＳＩプロセスに対してＲＩ参照ＣＳＩプロセスが設定されていない場合には、当該ＣＳＩプロセスに対するＣＱＩは、当該ＣＳＩプロセスに対して最後に報告されたピリオディックＲＩに基づいて計算される。それ以外の場合には、ＣＱＩは最後に報告されたピリオディックＲＩに基づいて計算される。端末装置１は、所定の送信モード（例えば、送信モード４、８、９、１０）以外の送信モードである場合、ランクが１の送信であるものとしてＣＱＩ（およびＰＭＩ）を計算する。
【０１８３】
図４は、あるサービングセルにおいて送信モード１０が設定されている端末装置１が、当該サービングセルの第１のＣＳＩプロセスに対する第１のＲＩ報告と第１のＣＱＩ報告を行ない、当該サービングセルの第２のＣＳＩプロセスに対する第２のＲＩ報告と第２のＣＱＩ報告を行なう場合を示している。また、第２のＣＳＩプロセスにはＲＩ参照ＣＳＩプロセスとして第１のＣＳＩプロセスが設定されているものとする。ここで、サブフレーム番号３およびサブフレーム番号１３において報告される第２のＣＳＩプロセスの第２のＲＩの値は、サブフレーム番号２において報告されるＲＩの値と同じである。ここで、サブフレーム番号２３において報告される第２のＣＳＩプロセスの第２のＲＩが後述する任意の条件によりドロップされた場合、サブフレーム番号２６において報告される第２のＣＳＩプロセスの第２のＣＱＩは、ＲＩ参照ＣＳＩプロセスである第１のＣＳＩプロセスのサブフレーム番号２２において報告されるＲＩに基づいて計算される。
【０１８４】
報告モード２−０である場合、ＲＩおよびＣＱＩは下記の通り計算される。
【０１８５】
（報告モード２−０のＲＩについて）送信モード３である場合、端末装置１は、ＲＩを報告するサブフレームにおいて、セットＳサブバンドの送信を仮定したＲＩを決定し、報告タイプ３を用いて報告する。
【０１８６】
（報告モード２−０のワイドバンドＣＱＩについて）端末装置１は、ワイドバンドＣＱＩを報告するサブフレームにおいて、サブバンドとして設定されうる全周波数帯域の送信を仮定して計算された１つのワイドバンドＣＱＩで構成される報告タイプ４のＣＳＩを報告する。ただし、送信モード３である場合、ＣＱＩは最後に報告されたピリオディックＲＩに基づいて計算される。その他の送信モードの場合、報告モード２−０に対応するＣＱＩはランク１として計算される。
【０１８７】
（報告モード２−０のサブバンドＣＱＩについて）端末装置１は、選択されたサブバンドのＣＱＩを報告するサブフレームにおいて、該サブバンドの送信のみを反映したＣＱＩの値を、報告タイプ１を用いて報告する。報告モード２−０に対応するＣＱＩの値は、ＲＩが１より大きい場合でも第１のコードワードのチャネル品質のみを表す。端末装置１は、送信モード３である場合、サブバンドの選択およびＣＱＩの値について最後に報告されたピリオディックＲＩを用いて計算し、その他の送信モードである場合、報告モード２−０に対応するサブバンドの選択およびＣＱＩの値についてランクが１であるものとして計算する。
【０１８８】
報告モード２−１である場合、ＲＩおよびＣＱＩは下記の通り計算される。
【０１８９】
（報告モード２−１のＲＩについて）端末装置１は、ＲＩを報告するサブフレームにおいて、送信モード１０が設定されており、かつ、あるＣＳＩプロセスに対してＲＩ参照ＣＳＩプロセスが設定されている場合、サブフレームセットの設定に関わりなく、当該ＣＳＩプロセスのＲＩは設定されたＲＩ参照ＣＳＩプロセスのＲＩを含む最近の（most recent）ＣＳＩレポートのＲＩと同じ値とする。それ以外の場合には、端末装置１はサブバンドとして設定されうる全周波数帯域の送信を仮定したＲＩを決定する。端末装置１は、報告タイプ３（ＰＴＩを伴わない場合）または報告タイプ６（ＰＴＩを伴う場合）を用いて決定したＲＩを報告する。
【０１９０】
（報告モード２−１のワイドバンドＣＱＩについて）端末装置１は、所定の送信モード（例えば、送信モード４、８、９、１０）である場合、ワイドバンドＣＱＩを報告するサブフレームにおいて、下記の通り、ワイドバンドＣＱＩを報告する。端末装置１は、送信モード１０が設定されており、あるＣＳＩプロセスに対してＲＩ参照ＣＳＩプロセスが設定されており、当該ＣＳＩプロセスの最近の報告タイプ３の報告がドロップされており、かつ、当該ＣＳＩプロセスのためにＲＩ参照ＣＳＩプロセスの最近の報告タイプ３の報告がされている場合、当該ＣＳＩプロセスのためのＣＱＩは、前記ＲＩ参照ＣＳＩプロセスで報告されたピリオディックＲＩに基づいて計算される。それ以外の場合には、ＣＱＩは、当該ＣＳＩプロセスに対して最後に報告されたピリオディックＲＩに基づいて計算される。端末装置１は、所定の送信モード（例えば、送信モード４、８、９、１０）以外の送信モードである場合、報告モード２−１のワイドバンドＣＱＩについてランクが１の送信であるものとして計算する。
【０１９１】
（報告モード２−１のサブバンドＣＱＩについて）端末装置１は、選択されたサブバンドＣＱＩを報告するサブフレームにおいて、該サブバンドの送信のみを反映した第１のコードワードのＣＱＩの値を、報告タイプ１により報告する。ただし、端末装置１は、ＲＩが１より大きい場合、第２のコードワードのサブバンドＣＱＩインデックスと第１のコードワードのサブバンドＣＱＩインデックスの差分を、サブバンドＣＱＩに対して３ビット追加して報告する。端末装置１は、所定の送信モード（例えば、送信モード４、８、９、１０）である場合、下記の通り、サブバンドＣＱＩを報告する。端末装置１は、送信モード１０が設定されており、あるＣＳＩプロセスに対してＲＩ参照ＣＳＩプロセスが設定されており、当該ＣＳＩプロセスの最近の報告タイプ３の報告がドロップされており、かつ、当該ＣＳＩプロセスのためにＲＩ参照ＣＳＩプロセスの最近の報告タイプ３の報告がされている場合、当該ＣＳＩプロセスのためのサブバンドの選択およびＣＱＩの値は、前記ＲＩ参照ＣＳＩプロセスで報告されたピリオディックＲＩに基づいて計算される。それ以外の場合には、当該ＣＳＩプロセスのためのサブバンドの選択およびＣＱＩの値は最後に報告されたピリオディックＲＩに基づいて計算される。端末装置１は、所定の送信モード（例えば、送信モード４、８、９、１０）以外の送信モードである場合、ランクが１の送信であるものとしてサブバンドの選択およびＣＱＩの値を計算する。
【０１９２】
以下、本実施形態に係る１つまたは複数のＲＩを同時に報告する場合の動作について説明する。
【０１９３】
端末装置１は、設定されたサービングセルのそれぞれにおいてＲＩの報告のためのＰＵＣＣＨフォーマットが設定されてよい。例えば、端末装置１は、設定されたサービングセルのそれぞれにおいてＲＩの報告のために第３のＰＵＣＣＨフォーマット、第４のＰＵＣＣＨフォーマット、第５のＰＵＣＣＨフォーマットのうち使用可能なＰＵＣＣＨフォーマットが設定されてよい。
【０１９４】
端末装置１は、設定されたサブフレームセットのそれぞれにおいてＲＩの報告のためのＰＵＣＣＨフォーマットが設定されてよい。例えば、端末装置１は、設定されたサブフレームセットのそれぞれにおいてＲＩの報告のために第３のＰＵＣＣＨフォーマット、第４のＰＵＣＣＨフォーマット、第５のＰＵＣＣＨフォーマットのうち使用可能なＰＵＣＣＨフォーマットが設定されてよい。
【０１９５】
端末装置１は、設定されたＣＳＩプロセスのそれぞれにおいてＲＩの報告のためのＰＵＣＣＨフォーマットが設定されてよい。例えば、端末装置１は、設定されたＣＳＩプロセスのそれぞれにおいてＲＩの報告のために第３のＰＵＣＣＨフォーマット、第４のＰＵＣＣＨフォーマット、第５のＰＵＣＣＨフォーマットのうち使用可能なＰＵＣＣＨフォーマットが設定されてよい。
【０１９６】
ただし、複数のＣＳＩを同時に報告可能なフォーマット（例えば、第５のＰＵＣＣＨフォーマット）は、端末装置１に対し、使用可能か否かが全てのサービングセルで共通に設定されてもよい。ただし、複数のＣＳＩを同時に報告可能なフォーマット（例えば、第５のＰＵＣＣＨフォーマット）は、端末装置１に対し、使用可能か否かが全てのサブフレームセットで共通に設定されてもよい。ただし、複数のＣＳＩを同時に報告可能なフォーマット（例えば、第５のＰＵＣＣＨフォーマット）は、端末装置１に対し、使用可能か否かが全てのＣＳＩプロセスで共通に設定されてもよい。ただし、複数のＣＳＩを同時に報告可能なフォーマットは、端末装置１が運用されるシステムで適用可能であるかが設定されてもよいし、上位層からのシグナリングによって端末装置１に対して設定されてもよい。
【０１９７】
ただし、あるＰＵＣＣＨ（第１のＰＵＣＣＨとする）に対して１つのＣＳＩのみ報告可能なＰＵＣＣＨフォーマット（例えば第３のＰＵＣＣＨフォーマット）が設定され、別のあるＰＵＣＣＨ（第２のＰＵＣＣＨとする）に対して複数のＣＳＩを同時に報告可能なフォーマット（例えば第５のＰＵＣＣＨフォーマット）が設定され、かつ、第１のＰＵＣＣＨと第２のＰＵＣＣＨが衝突した場合に、第１のＰＵＣＣＨで報告されるＣＳＩと第２のＰＵＣＣＨで報告されるＣＳＩを第２のＰＵＣＣＨで同時に報告するように処理されてもよい。
【０１９８】
すなわち、１つのＣＳＩを報告するために用いられ、第３のＰＵＣＣＨフォーマットが用いられる第１のＰＵＣＣＨリソースでの送信と、複数のＣＳＩを同時に報告するために用いられ、第５のＰＵＣＣＨフォーマットが用いられる第２のＰＵＣＣＨリソースでの送信が衝突した場合において、該１つのＣＳＩ、および／または、該複数のＣＳＩの一部または全部が、該第２のＰＵＣＣＨリソースで報告されてもよい。すなわち、第３のＰＵＣＣＨフォーマット、および／または、第１のＰＵＣＣＨリソースを用いた１つのＣＳＩの報告と、第５のＰＵＣＣＨフォーマット、および／または、第２のＰＵＣＣＨリソースを用いた複数のＣＳＩの報告が衝突した場合において、第５のＰＵＣＣＨフォーマット、および／または、第２のＰＵＣＣＨリソースを用いて、該１つのＣＳＩ、および／または、該複数のＣＳＩの一部または全部が報告されてもよい。
【０１９９】
ここで、例えば、第１のＰＵＣＣＨはあるサービングセル（第１のサービングセル）の第２のＣＳＩプロセスに関するＣＳＩの報告に用いられるＰＵＣＣＨであってもよく、第２のＰＵＣＣＨは別のサービングセル（第２のサービングセル）に対するＣＳＩの報告に用いられるＰＵＣＣＨであってもよい。すなわち、第１のサービングセルの第１のＣＳＩプロセスに関する第１のＣＳＩが任意のＰＵＣＣＨフォーマットを使用したＰＵＣＣＨで報告され、第１のサービングセルの第２のＣＳＩプロセスに関する第２のＣＳＩが第３のＰＵＣＣＨフォーマットを使用したＰＵＣＣＨで報告され、第２のサービングセルに対するＣＳＩが第５のＰＵＣＣＨフォーマットを使用したＰＵＣＣＨで報告され、あるサブフレームにおいて、第２のＣＳＩの報告と第２のサービングセルに対するＣＳＩの報告が衝突した場合に、端末装置１は衝突した第２のＣＳＩと第２のサービングセルに対するＣＳＩを第５のＰＵＣＣＨフォーマットを使用したＰＵＣＣＨで報告してもよい。
【０２００】
また、例えば、第１のＰＵＣＣＨはあるサービングセル（第１のサービングセル）の第２のサブフレームセットに関するＣＳＩの報告に用いられるＰＵＣＣＨであってもよく、第２のＰＵＣＣＨは別のサービングセル（第２のサービングセル）に対するＣＳＩの報告に用いられるＰＵＣＣＨであってもよい。すなわち、第１のサービングセルの第１のサブフレームセットに関する第１のＣＳＩが任意のＰＵＣＣＨフォーマットを使用したＰＵＣＣＨで報告され、第１のサービングセルの第２のサブフレームセットに関する第２のＣＳＩが第３のＰＵＣＣＨフォーマットを使用したＰＵＣＣＨで報告され、第２のサービングセルに対するＣＳＩが第５のＰＵＣＣＨフォーマットを使用したＰＵＣＣＨで報告され、あるサブフレームにおいて、第２のＣＳＩの報告と第２のサービングセルに対するＣＳＩの報告が衝突した場合に、端末装置１は衝突した第２のＣＳＩと第２のサービングセルに対するＣＳＩを第５のＰＵＣＣＨフォーマットを使用したＰＵＣＣＨで報告してもよい。
【０２０１】
ただし、第１のＰＵＣＣＨに対して複数のＣＳＩを同時に報告可能なフォーマット（例えば第５のＰＵＣＣＨフォーマット）が設定され、第２のＰＵＣＣＨに対して複数のＣＳＩを同時に報告可能なフォーマット（例えば第５のＰＵＣＣＨフォーマット）が設定され、かつ、第１のＰＵＣＣＨと第２のＰＵＣＣＨが衝突した場合に、第１のＰＵＣＣＨで報告されるＣＳＩと第２のＰＵＣＣＨで報告されるＣＳＩを第１のＰＵＣＣＨまた第２のＰＵＣＣＨのいずれか１つで同時に報告するように処理されてもよい。
【０２０２】
すなわち、第１の複数のＣＳＩを同時に報告するために用いられ、第５のＰＵＣＣＨフォーマットが用いられる第１のＰＵＣＣＨリソースでの送信と、第２の複数のＣＳＩを報告するために用いられ、第５のＰＵＣＣＨフォーマットが用いられる第２のＰＵＣＣＨリソースでの送信が衝突した場合において、該第１の複数のＣＳＩ、および／または、該２の複数のＣＳＩの一部または全部が、該第１のＰＵＣＣＨリソースまたは該第２のＰＵＣＣＨリソースで報告されてもよい。すなわち、第５のＰＵＣＣＨフォーマット、および／または、第１のＰＵＣＣＨリソースを用いた第１の複数のＣＳＩの報告と、第５のＰＵＣＣＨフォーマット、および／または、第２のＰＵＣＣＨリソースを用いた第２の複数のＣＳＩの報告が衝突した場合において、第１のＰＵＣＣＨリソースまたは第２のＰＵＣＣＨリソースを用いて、該第１の複数のＣＳＩ、および／または、該第２の複数のＣＳＩの一部または全部が報告されてもよい。ここで、該第１の複数のＣＳＩ、および／または、該第２の複数のＣＳＩの一部または全部は、第５のＰＵＣＣＨフォーマットを用いて報告されてもよい。
【０２０３】
ここで、例えば、第１のＰＵＣＣＨはあるサービングセル（第１のサービングセル）の第２のＣＳＩプロセスに関するＣＳＩの報告に用いられるＰＵＣＣＨであってもよく、第２のＰＵＣＣＨは別のサービングセル（第２のサービングセル）に対するＣＳＩの報告に用いられるＰＵＣＣＨであってもよい。すなわち、第１のサービングセルの第１のＣＳＩプロセスに関する第１のＣＳＩが任意のＰＵＣＣＨフォーマットを使用したＰＵＣＣＨで報告され、第１のサービングセルの第２のＣＳＩプロセスに関する第２のＣＳＩが第５のＰＵＣＣＨフォーマットを使用したＰＵＣＣＨで報告され、第２のサービングセルに対するＣＳＩが第５のＰＵＣＣＨフォーマットを使用したＰＵＣＣＨで報告され、あるサブフレームにおいて、第２のＣＳＩの報告と第２のサービングセルに対するＣＳＩの報告が衝突した場合に、端末装置１は衝突した第２のＣＳＩと第２のサービングセルに対するＣＳＩを第５のＰＵＣＣＨフォーマットを使用したＰＵＣＣＨで報告してもよい。
【０２０４】
また、例えば、第１のＰＵＣＣＨはあるサービングセル（第１のサービングセル）の第２のサブフレームセットに関するＣＳＩの報告に用いられるＰＵＣＣＨであってもよく、第２のＰＵＣＣＨは別のサービングセル（第２のサービングセル）に対するＣＳＩの報告に用いられるＰＵＣＣＨであってもよい。すなわち、第１のサービングセルの第１のサブフレームセットに関する第１のＣＳＩが任意のＰＵＣＣＨフォーマットを使用したＰＵＣＣＨで報告され、第１のサービングセルの第２のサブフレームセットに関する第２のＣＳＩが第５のＰＵＣＣＨフォーマットを使用したＰＵＣＣＨで報告され、第２のサービングセルに対するＣＳＩが第５のＰＵＣＣＨフォーマットを使用したＰＵＣＣＨで報告され、あるサブフレームにおいて、第２のＣＳＩの報告と第２のサービングセルに対するＣＳＩの報告が衝突した場合に、端末装置１は衝突した第２のＣＳＩと第２のサービングセルに対するＣＳＩを第５のＰＵＣＣＨフォーマットを使用したＰＵＣＣＨで報告してもよい。
【０２０５】
ただし、第１のＰＵＣＣＨに対して１つのＣＳＩのみ報告可能なＰＵＣＣＨフォーマット（例えば第３のＰＵＣＣＨフォーマット）が設定され、第２のＰＵＣＣＨに対して１つのＣＳＩのみ報告可能なＰＵＣＣＨフォーマット（例えば第３のＰＵＣＣＨフォーマット）が設定され、かつ、第１のＰＵＣＣＨと第２のＰＵＣＣＨが衝突した場合に、第１のＰＵＣＣＨで報告されるＣＳＩの報告と第２のＰＵＣＣＨで報告されるＣＳＩの報告のいずれか１つをドロップするように処理されてもよい。
【０２０６】
ここで、例えば、第１のＰＵＣＣＨはあるサービングセル（第１のサービングセル）の第２のＣＳＩプロセスに関するＣＳＩの報告に用いられるＰＵＣＣＨであってもよく、第２のＰＵＣＣＨは別のサービングセル（第２のサービングセル）に対するＣＳＩの報告に用いられるＰＵＣＣＨであってもよい。すなわち、第１のサービングセルの第１のＣＳＩプロセスに関する第１のＣＳＩが任意のＰＵＣＣＨフォーマットを使用したＰＵＣＣＨで報告され、第１のサービングセルの第２のＣＳＩプロセスに関する第２のＣＳＩが第３のＰＵＣＣＨフォーマットを使用したＰＵＣＣＨで報告され、第２のサービングセルに対するＣＳＩが第３のＰＵＣＣＨフォーマットを使用したＰＵＣＣＨで報告され、あるサブフレームにおいて、第２のＣＳＩの報告と第２のサービングセルに対するＣＳＩの報告が衝突した場合に、端末装置１は衝突した第２のＣＳＩと第２のサービングセルに対するＣＳＩのいずれか１つをドロップしてもよい。
【０２０７】
また、例えば、第１のＰＵＣＣＨはあるサービングセル（第１のサービングセル）の第２のサブフレームセットに関するＣＳＩの報告に用いられるＰＵＣＣＨであってもよく、第２のＰＵＣＣＨは別のサービングセル（第２のサービングセル）に対するＣＳＩの報告に用いられるＰＵＣＣＨであってもよい。すなわち、第１のサービングセルの第１のサブフレームセットに関する第１のＣＳＩが任意のＰＵＣＣＨフォーマットを使用したＰＵＣＣＨで報告され、第１のサービングセルの第２のサブフレームセットに関する第２のＣＳＩが第３のＰＵＣＣＨフォーマットを使用したＰＵＣＣＨで報告され、第２のサービングセルに対するＣＳＩが第３のＰＵＣＣＨフォーマットを使用したＰＵＣＣＨで報告され、あるサブフレームにおいて、第２のＣＳＩの報告と第２のサービングセルに対するＣＳＩの報告が衝突した場合に、端末装置１は衝突した第２のＣＳＩと第２のサービングセルに対するＣＳＩのいずれか１つをドロップしてもよい。
【０２０８】
ただし、第１のＰＵＣＣＨに対して１つのＣＳＩのみ報告可能なＰＵＣＣＨフォーマット（例えば第３のＰＵＣＣＨフォーマット）が設定され、第２のＰＵＣＣＨに対して１つのＣＳＩのみ報告可能なＰＵＣＣＨフォーマット（例えば第３のＰＵＣＣＨフォーマット）が設定され、端末装置１に対して複数のＣＳＩを同時に報告可能なフォーマット（例えば第５のＰＵＣＣＨフォーマット）が設定され、かつ、第１のＰＵＣＣＨと第２のＰＵＣＣＨが衝突した場合に、第１のＰＵＣＣＨで報告されるＣＳＩと第２のＰＵＣＣＨで報告されるＣＳＩを前記複数のＣＳＩを同時に報告可能なフォーマットを用いて同時に報告するように処理されてもよい。
【０２０９】
ただし、第１のＰＵＣＣＨに対して１つのＣＳＩのみ報告可能なＰＵＣＣＨフォーマット（例えば第３のＰＵＣＣＨフォーマット）が設定され、第２のＰＵＣＣＨに対して１つのＣＳＩのみ報告可能なＰＵＣＣＨフォーマット（例えば第３のＰＵＣＣＨフォーマット）が設定され、端末装置１に対して複数のＣＳＩを同時に報告可能なフォーマット（例えば第５のＰＵＣＣＨフォーマット）が設定されておらず、かつ、第１のＰＵＣＣＨと第２のＰＵＣＣＨが衝突した場合に、第１のＰＵＣＣＨのＣＳＩの報告と第２のＰＵＣＣＨのＣＳＩの報告のいずれか１つをドロップするように処理されてもよい。
【０２１０】
すなわち、複数のＣＳＩを同時に報告するために用いられる第５のＰＵＣＣＨフォーマットが設定された（第５のＰＵＣＣＨフォーマットを用いた上りリンク制御情報の送信が設定された）端末装置は、第３のＰＵＣＣＨフォーマット、および／または、第１のＰＵＣＣＨリソースを用いた第１の１つのＣＳＩの報告と、第３のＰＵＣＣＨフォーマット、および／または、第２のＰＵＣＣＨリソースを用いた第２の１つのＣＳＩの報告が衝突した場合において、該第１の１つのＣＳＩ、および／または、該第２の１つのＣＳＩの一部または全部を、該第５のＰＵＣＣＨフォーマットを用いて報告してもよい。ここで、該第１の１つのＣＳＩ、および／または、該第２の１つのＣＳＩの一部または全部は、該第５のＰＵＣＣＨフォーマットが用いられるＰＵＣＣＨリソースで報告されてもよい。
【０２１１】
ここで、例えば、第１のＰＵＣＣＨはあるサービングセル（第１のサービングセル）の第２のＣＳＩプロセスに関するＣＳＩの報告に用いられるＰＵＣＣＨであってもよく、第２のＰＵＣＣＨは別のサービングセル（第２のサービングセル）に対するＣＳＩの報告に用いられるＰＵＣＣＨであってもよい。すなわち、第１のサービングセルの第１のＣＳＩプロセスに関する第１のＣＳＩが任意のＰＵＣＣＨフォーマットを使用したＰＵＣＣＨで報告され、第１のサービングセルの第２のＣＳＩプロセスに関する第２のＣＳＩが第３のＰＵＣＣＨフォーマットを使用したＰＵＣＣＨで報告され、第２のサービングセルに対するＣＳＩが第３のＰＵＣＣＨフォーマットを使用したＰＵＣＣＨで報告され、あるサブフレームにおいて、第２のＣＳＩの報告と第２のサービングセルに対するＣＳＩの報告が衝突した場合に、第５のＰＵＣＣＨフォーマットを設定された端末装置１は衝突した第２のＣＳＩと第２のサービングセルに対するＣＳＩを第５のＰＵＣＣＨフォーマットを使用したＰＵＣＣＨで報告してもよく、第５のＰＵＣＣＨフォーマットを設定されていない端末装置１は衝突した第２のＣＳＩと第２のサービングセルに対するＣＳＩのいずれか１つをドロップしてもよい。
【０２１２】
また、例えば、第１のＰＵＣＣＨはあるサービングセル（第１のサービングセル）の第２のサブフレームセットに関するＣＳＩの報告に用いられるＰＵＣＣＨであってもよく、第２のＰＵＣＣＨは別のサービングセル（第２のサービングセル）に対するＣＳＩの報告に用いられるＰＵＣＣＨであってもよい。すなわち、第１のサービングセルの第１のサブフレームセットに関する第１のＣＳＩが任意のＰＵＣＣＨフォーマットを使用したＰＵＣＣＨで報告され、第１のサービングセルの第２のサブフレームセットに関する第２のＣＳＩが第３のＰＵＣＣＨフォーマットを使用したＰＵＣＣＨで報告され、第２のサービングセルに対するＣＳＩが第３のＰＵＣＣＨフォーマットを使用したＰＵＣＣＨで報告され、あるサブフレームにおいて、第２のＣＳＩの報告と第２のサービングセルに対するＣＳＩの報告が衝突した場合に、第５のＰＵＣＣＨフォーマットを設定された端末装置１は衝突した第２のＣＳＩと第２のサービングセルに対するＣＳＩを第５のＰＵＣＣＨフォーマットを使用したＰＵＣＣＨで報告してもよく、第５のＰＵＣＣＨフォーマットを設定されていない端末装置１は衝突した第２のＣＳＩと第２のサービングセルに対するＣＳＩのいずれか１つをドロップしてもよい。
【０２１３】
端末装置１は、あるサブフレームにおいて、複数のＣＳＩの報告が衝突し、かつ、適用可能なＰＵＣＣＨフォーマットで衝突した全てのＣＳＩを同時に報告可能である場合には、全てのＣＳＩをドロップせずに報告してよい。ただし、端末装置１は、あるサービングセルにおいて、ＣＳＩプロセスを複数設定可能な送信モード（例えば送信モード１０）が設定されており、あるサブフレームにおいて、あるＣＳＩプロセスに関連付けられたＣＳＩと、該あるＣＳＩプロセスに対するＲＩ参照用ＣＳＩプロセスに関連付けられたＣＳＩが衝突している場合、いずれか１つのＣＳＩの報告をドロップしてよい。例えば、ドロップするＣＳＩの報告は、ＲＩ参照用ＣＳＩプロセスが設定されている該あるＣＳＩプロセスに関連付けられたＣＳＩの報告であってもよい。
【０２１４】
すなわち、端末装置１は、第１のＣＳＩプロセスに関連付けられたＣＳＩを、１つのサブフレームにおいて、１つのＰＵＣＣＨ（ＰＵＣＣＨリソース）を用いて報告してもよい。また、端末装置１は、第１のＣＳＩプロセスとは異なる第２のＣＳＩプロセスに関連付けられたＣＳＩを、１つのサブフレームにおいて、１つのＰＵＣＣＨ（ＰＵＣＣＨリソース）を用いて報告してもよい。ここで、該第１のＣＳＩプロセスに関連付けられたＣＳＩ報告に対して、１つのＣＳＩを報告するためのＰＵＣＣＨフォーマットが用いられてもよい。また、該第２のＣＳＩプロセスに関連付けられたＣＳＩ報告に対して、１つのＣＳＩを報告するためのＰＵＣＣＨフォーマットが用いられてもよい。
【０２１５】
ここで、該第１のＣＳＩプロセスに関連付けられたＣＳＩの報告と、該第２のＣＳＩプロセスに関連付けられたＣＳＩの報告が、１つのサブフレームにおいて衝突した場合において、端末装置１は、該第１のＣＳＩプロセスに関連付けられたＣＳＩと、該第２のＣＳＩプロセスに関連付けられたＣＳＩの一部または全部を、該１つのサブフレームにおいて、１つのＰＵＣＣＨ（ＰＵＣＣＨリソース）を用いて報告してもよい。ここで、該第１のＣＳＩプロセスは、該第２のＣＳＩプロセスに対するＲＩ参照用ＣＳＩプロセスではない。また、該第１のＣＳＩプロセスに関連付けられたＣＳＩと、該第２のＣＳＩプロセスに関連付けられたＣＳＩの一部または全部の報告に対して、複数のＣＳＩを同時に報告するためのＰＵＣＣＨフォーマットが用いられてもよい。
【０２１６】
また、該第１のＣＳＩプロセスに関連付けられたＣＳＩの報告と、該第２のＣＳＩプロセスに関連付けられたＣＳＩの報告が、１つのサブフレームにおいて衝突した場合において、端末装置１は、該第１のＣＳＩプロセスに関連付けられたＣＳＩと、該第２のＣＳＩプロセスに関連付けられたＣＳＩのいずれか１つを、該１つのサブフレームにおいて、１つのＰＵＣＣＨ（ＰＵＣＣＨリソース）を用いて報告してもよい。すなわち、端末装置１は、該第１のＣＳＩプロセスに関連付けられたＣＳＩの報告をドロップし、該第２のＣＳＩプロセスに関連付けられたＣＳＩのみを報告してもよい。また、端末装置１は、該第２のＣＳＩプロセスに関連付けられたＣＳＩの報告をドロップし、該第１のＣＳＩプロセスに関連付けられたＣＳＩのみを報告してもよい。ここで、該第１のＣＳＩプロセスは、該第２のＣＳＩプロセスに対するＲＩ参照用ＣＳＩプロセスである。また、該第１のＣＳＩプロセスに関連付けられたＣＳＩの報告、または、該第２のＣＳＩプロセスに関連付けられたＣＳＩの報告に対して、複数のＣＳＩを同時に報告するためのＰＵＣＣＨフォーマットが用いられてもよい。
【０２１７】
すなわち、端末装置１は、該第１のＣＳＩプロセスが、該第２のＣＳＩプロセスに対するＲＩ参照用ＣＳＩプロセスであるかどうかに基づいて、該第１のＣＳＩプロセスに関連付けられたＣＳＩと該第２のＣＳＩプロセスに関連付けられたＣＳＩの両方を報告するのか、該第１のＣＳＩプロセスに関連付けられたＣＳＩと該第２のＣＳＩプロセスに関連付けられたＣＳＩのいずれかをドロップ（報告）するのか、を切り替えてもよい。ここで、該第１のＣＳＩプロセスに関連付けられたＣＳＩと該第２のＣＳＩプロセスに関連付けられたＣＳＩのいずれをドロップするのか（ドロップのルール、優先度）は、下記に示される。
【０２１８】
図５は、それぞれ所定のＰＵＣＣＨフォーマットでＣＳＩを送信する複数のＰＵＣＣＨが衝突した場合の端末装置１の動作の一例を示すフロー図である。ただし、本フロー図における第５のＰＵＣＣＨフォーマットは複数のＣＳＩを同時に報告可能な任意のフォーマットであってもよい。
【０２１９】
ステップＳ１０１において、衝突しているＰＵＣＣＨのいずれかで第５のＰＵＣＣＨフォーマットが設定されている場合（Ｓ１０１−Ｙｅｓ）にステップＳ１０３へ移行し、設定されていない場合（Ｓ１０１−Ｎｏ）にステップＳ１０２へ移行する。ステップＳ１０２において、端末装置１に対して第５のＰＵＣＣＨフォーマットが設定されている場合（Ｓ１０２−Ｙｅｓ）にＳ１０３へ移行し、設定されていない場合（Ｓ１０２−Ｎｏ）にステップＳ１０４へ移行する。ステップＳ１０３において、適用可能な第５のＰＵＣＣＨフォーマットを用いて衝突している全てのＣＳＩを報告可能である場合（Ｓ１０３−Ｙｅｓ）にステップＳ１０５へ移行し、報告可能でない場合（Ｓ１０３−Ｎｏ）にステップＳ１０４へ移行する。ステップＳ１０４において、端末装置１は適用可能なＰＵＣＣＨフォーマットを用いて報告可能となるまで、後述する所定のルールに基づいて優先度の低いＣＳＩの報告をドロップする。ステップＳ１０５において、端末装置１は適用可能なＰＵＣＣＨフォーマットを用いてドロップしていない全てのＣＳＩを報告する。
【０２２０】
ただし、端末装置１は、あるサービングセルにおいて、ＣＳＩプロセスを複数設定可能な送信モード（例えば送信モード１０）が設定されており、あるサブフレームにおいて、あるＣＳＩプロセスに関連付けられたＣＳＩの報告（ＲＩの報告であってもよい）と、該ＣＳＩプロセスと同一のＲＩ参照用ＣＳＩプロセスが設定されているＣＳＩプロセスに関連付けられたＣＳＩの報告（ＲＩの報告であってもよい）が衝突している場合、いずれか１つのＣＳＩの報告を最も優先度の低いものとしてドロップしてよい。例えば、ドロップするＣＳＩの報告は、ＲＩ参照用ＣＳＩプロセスが設定されているＣＳＩプロセスに関連付けられたＣＳＩの報告としてよい。
【０２２１】
図６は、複数のＣＳＩの報告が衝突した場合のドロップのルールの一例を説明するための図である。図６では、あるサービングセルにおいて送信モード１０が設定されている端末装置１が、当該サービングセルの第１のＣＳＩプロセスに対する第１のＲＩの報告と第１のＣＱＩの報告を行ない、当該サービングセルの第２のＣＳＩプロセスに対する第２のＲＩの報告と第２のＣＱＩの報告を行なう場合を示している。ここで、サブフレーム番号２およびサブフレーム番号２２において第１のＣＳＩプロセスの第１のＲＩの報告と第２のＣＳＩプロセスの第２のＲＩの報告が衝突しているものとする。
【０２２２】
端末装置１は、第１のＲＩの報告および第２のＲＩの報告について複数のＣＳＩを同時に報告可能なＰＵＣＣＨフォーマットを適用できない場合、サブフレーム番号２およびサブフレーム番号２２において第１のＲＩの報告あるいは第２のＲＩの報告のいずれかをドロップする。ドロップするＲＩの報告の選択は後述するルールに従ってよい。
【０２２３】
端末装置１は、第１のＲＩの報告および第２のＲＩの報告について複数のＣＳＩを同時に報告可能なＰＵＣＣＨフォーマットを適用できる場合に次のように処理してよい。端末装置１は、第１のＣＳＩプロセスが第２のＣＳＩプロセスに対するＲＩ参照ＣＳＩプロセスである場合、第１のＲＩの報告に対して衝突している第２のＲＩの報告をドロップしてよい。この場合、第２のＣＳＩプロセスのサブフレーム番号６における第２のＣＱＩは、第１のＣＳＩプロセスのサブフレーム番号２で報告される第１のＲＩに基づいて計算されてもよく、第２のＣＳＩプロセスのサブフレーム番号２６における第２のＣＱＩは、第１のＣＳＩプロセスのサブフレーム番号２２で報告される第１のＲＩに基づいて計算されてもよい。端末装置１は、第１のＣＳＩプロセスが第２のＣＳＩプロセスに対するＲＩ参照ＣＳＩプロセスでない場合、複数のＣＳＩを同時に報告可能なＰＵＣＣＨフォーマットを適用して、第１のＲＩと第２のＲＩの両方を報告してよい。
【０２２４】
図７は、ＣＳＩプロセスを複数設定可能な送信モード（例えば送信モード１０）が設定されており、複数のＣＳＩを同時に報告可能なフォーマット（例えば、第５のＰＵＣＣＨフォーマット）を使用可能な状態で、複数のＣＳＩの報告が衝突している場合の端末装置１の動作の一例を示すフロー図である。図７のフロー図の動作は、例えば図５のステップＳ１０３の直前（すなわちステップＳ１０１−ＹｅｓとステップＳ１０３の間、および／または、ステップＳ１０２−ＹｅｓとステップＳ１０３の間）に加えてもよい。ただし、図７における第１のＣＳＩの報告と第２のＣＳＩの報告は、それぞれ第１のＲＩの報告と第２のＲＩの報告としてもよい。
【０２２５】
ステップＳ２０１において、第１のＣＳＩプロセスにおける第１のＣＳＩの報告と第２のＣＳＩプロセスにおける第２のＣＳＩの報告とが衝突している場合（Ｓ２０１−Ｙｅｓ）、ステップＳ２０２に進み、衝突していない場合（Ｓ２０１−Ｎｏ）、動作を終了する。ただし、ステップＳ２０１における第１のＣＳＩの報告と第２のＣＳＩの報告は、衝突している全てのＣＳＩの報告に適用されることが望ましい。ステップＳ２０２において、第１のＣＳＩプロセスが第２のＣＳＩプロセスのＲＩ参照ＣＳＩプロセスである場合（Ｓ２０２−Ｙｅｓ）、ステップＳ２０３に進み、第１のＣＳＩプロセスが第２のＣＳＩプロセスのＲＩ参照ＣＳＩプロセスでない場合（Ｓ２０２−Ｎｏ）、ステップＳ２０４に進む。ステップＳ２０３において、第１のＣＳＩプロセスをＲＩ参照ＣＳＩプロセスに設定している第２のＣＳＩプロセスにおける第２のＣＳＩの報告をドロップし、動作を終了する。ステップＳ２０４において、第２のＣＳＩプロセスの第２のＣＳＩの報告をドロップせずに動作を終了する。
【０２２６】
このように、複数のＣＳＩを同時に報告可能なフォーマット（例えば、第５のＰＵＣＣＨフォーマット）を使用可能な状態においても、他のＣＳＩプロセスをＲＩ参照ＣＳＩプロセスに設定しているＣＳＩプロセスのＣＳＩの報告をドロップすることにより報告に使用するＰＵＣＣＨのリソースを節約することができる。
【０２２７】
ただし、以上の説明では、ＲＩ参照ＣＳＩプロセスを設定しているＣＳＩプロセスにおけるＣＳＩの報告が、参照先のＣＳＩプロセスにおけるＣＳＩの報告と衝突している場合にドロップする動作を示したが、他のＣＳＩプロセスをＲＩ参照ＣＳＩプロセスに設定しているＣＳＩプロセスにおけるＣＳＩの報告が、任意のＣＳＩの報告と衝突している場合にドロップするように端末装置１が動作してもよい。
【０２２８】
以下、本実施形態において複数のＣＳＩの報告が衝突した場合の優先度のルールについて説明する。
【０２２９】
端末装置１は、あるサービングセルの報告タイプ３、５または６のＣＳＩの報告と同じサービングセルの報告タイプ１、１ａ、２、２ａ、２ｂ、２ｃまたは４のＣＳＩの報告が衝突し、かつ、適用可能なＰＵＣＣＨフォーマットで衝突した全てのＣＳＩを同時に報告できない場合には、後者（報告タイプ１、１ａ、２、２ａ、２ｂ、２ｃまたは４）のＣＳＩの報告を低い優先度の報告タイプのＣＳＩの報告とする。
【０２３０】
端末装置１は、あるサービングセルにおいて、ＣＳＩプロセスを複数設定可能な送信モード（例えば送信モード１０）が設定されており、優先度が同じ報告タイプでありかつ異なるＣＳＩプロセスである複数のＣＳＩの報告が衝突し、適用可能なＰＵＣＣＨフォーマットで衝突した全てのＣＳＩを同時に報告できない場合には、ＣＳＩプロセスインデックスの大きいＣＳＩプロセスのＣＳＩを低い優先度のＣＳＩプロセスのＣＳＩの報告とする。
【０２３１】
端末装置１は、あるサービングセルにおいて、ＣＳＩプロセスを１つ設定可能な送信モード（例えば送信モード１〜９）が設定され、上位層のパラメータによってＣＳＩサブフレームセット０とＣＳＩサブフレームセット１が設定されており、同じサービングセルで同じ優先度である報告タイプのＣＳＩの報告が衝突し、かつ、適用可能なＰＵＣＣＨフォーマットで衝突した全てのＣＳＩを同時に報告できない場合に、ＣＳＩサブフレームセット１のＣＳＩの報告を低い優先度のサブフレームセットのＣＳＩの報告とする。
【０２３２】
端末装置１は、あるサービングセルにおいて、ＣＳＩプロセスを複数設定可能な送信モード（例えば送信モード１０）が設定され、上位層のパラメータによってＣＳＩサブフレームセット０とＣＳＩサブフレームセット１が設定されており、同じサービングセルで同じ優先度である報告タイプかつＣＳＩプロセスインデックスが同一であるＣＳＩの報告が衝突し、かつ、適用可能なＰＵＣＣＨフォーマットで衝突した全てのＣＳＩを同時に報告できない場合に、ＣＳＩサブフレームセット１のＣＳＩの報告を低い優先度のサブフレームセットのＣＳＩの報告とする。
【０２３３】
端末装置１において複数のサービングセルが設定されており、かつ、１つのサービングサービングセルに対するＣＳＩのみを報告可能なＰＵＣＣＨフォーマットが適用される場合、端末装置１は、サブフレーム当り１つのサービングセルのみのＣＳＩの報告を送信する。あるサブフレームにおいて、あるサービングセルの報告タイプ３、５、６または２ａのＣＳＩの報告と別のサービングセルの報告タイプ１、１ａ、２、２ｂ、２ｃまたは４のＣＳＩの報告が衝突し、かつ、適用可能なＰＵＣＣＨフォーマットで衝突した全てのＣＳＩを同時に報告できない場合に、後者（報告タイプ１、１ａ、２、２ｂ、２ｃまたは４）のＣＳＩの報告を低い優先度の報告タイプのＣＳＩの報告とする。あるサブフレームにおいて、あるサービングセルの報告タイプ２、２ｂ、２ｃ、または４のＣＳＩの報告と別のサービングセルの報告タイプ１または１ａのＣＳＩの報告が衝突し、かつ、適用可能なＰＵＣＣＨフォーマットで衝突した全てのＣＳＩを同時に報告できない場合に、後者（報告タイプ１または１ａ）のＣＳＩの報告を低い優先度の報告タイプのＣＳＩの報告とする。
【０２３４】
端末装置１は、あるサブフレームの複数のサービングセルにおいて、ＣＳＩプロセスを１つ設定可能な送信モード（例えば送信モード１〜９）が設定され、異なるサービングセルで同じ優先度である報告タイプのＣＳＩの報告が衝突し、かつ、適用可能なＰＵＣＣＨフォーマットで衝突した全てのＣＳＩを同時に報告できない場合に、上位層で設定されるセルインデックスの大きいサービングセルのＣＳＩの報告を低い優先度のサービングセルのＣＳＩの報告とする。
【０２３５】
端末装置１は、あるサブフレームの複数のサービングセルにおいて、ＣＳＩプロセスを複数設定可能な送信モード（例えば送信モード１０）が設定され、異なるサービングセルで同じ優先度である報告タイプかつＣＳＩプロセスインデックスが同一であるＣＳＩの報告が衝突し、かつ、適用可能なＰＵＣＣＨフォーマットで衝突した全てのＣＳＩを同時に報告できない場合に、上位層で設定されるセルインデックスの大きいサービングセルのＣＳＩの報告を低い優先度のサービングセルのＣＳＩの報告とする。
【０２３６】
端末装置１は、あるサブフレームの複数のサービングセルにおいて、ＣＳＩプロセスを複数設定可能な送信モード（例えば送信モード１０）が設定され、異なるサービングセルで同じ優先度である報告タイプかつＣＳＩプロセスインデックスの異なるＣＳＩの報告が衝突し、かつ、適用可能なＰＵＣＣＨフォーマットで衝突した全てのＣＳＩを同時に報告できない場合に、ＣＳＩプロセスインデックスの大きいＣＳＩプロセスのＣＳＩを伴うサービングセルのＣＳＩの報告を低い優先度のサービングセルのＣＳＩの報告とする。
【０２３７】
端末装置１は、あるサブフレームにおいて、ＣＳＩプロセスを１つ設定可能な送信モード（例えば送信モード１〜９）が設定されたサービングセルのＣＳＩの報告とＣＳＩプロセスを複数設定可能な送信モード（例えば送信モード１０）が設定された異なるサービングセルのＣＳＩの報告が衝突し、これらのサービングセルのＣＳＩの報告タイプの優先度が同一であり、かつ、適用可能なＰＵＣＣＨフォーマットで衝突した全てのＣＳＩを同時に報告できない場合に、後者のサービングセルのＣＳＩプロセスインデックスが１よりも大きいＣＳＩの報告について、ＣＳＩプロセスインデックスの大きいＣＳＩプロセスのＣＳＩの報告をより低い優先度のＣＳＩプロセスのＣＳＩの報告とする。
【０２３８】
また、端末装置１は、あるサブフレームにおいて、ＣＳＩプロセスを１つ設定可能な送信モード（例えば送信モード１〜９）が設定されたサービングセルのＣＳＩの報告とＣＳＩプロセスを複数設定可能な送信モード（例えば送信モード１０）が設定された異なるサービングセルのＣＳＩプロセスインデックスが１であるＣＳＩプロセスのＣＳＩの報告が衝突し、かつ、これらのサービングセルのＣＳＩの報告タイプの優先度が同一である場合に、上位層で設定されたセルインデックスが大きいサービングセルのＣＳＩの報告を低い優先度のサービングセルのＣＳＩの報告とする。
【０２３９】
端末装置１は、複数のＣＳＩの報告が衝突しており、適用されるＰＵＣＣＨフォーマットで衝突している全てのＣＳＩを同時に報告できない場合には、以上に示したルールにより、優先度のより低いＣＳＩの報告をドロップする。優先度の低いものからドロップし、適用されるＰＵＣＣＨフォーマットで、残りのドロップされていないＣＳＩの報告を同時に報告できるようになった時点で、ドロップ処理を終了し、ＣＳＩ報告処理を行なうように処理してよい。
【０２４０】
ただし、前述したように、衝突している複数のＣＳＩの報告の少なくとも一部に、ＲＩ参照ＣＳＩプロセスを設定しているＣＳＩプロセスにおけるＣＳＩの報告と、参照先のＣＳＩプロセスにおけるＣＳＩの報告と、が含まれている場合には、適用されるＰＵＣＣＨフォーマットで同時に報告可能か否かに依らず、ＲＩ参照ＣＳＩプロセスを設定しているＣＳＩプロセスにおけるＣＳＩの報告をドロップしてもよい。
【０２４１】
次に、複数の上りリンクセルでＣＳＩ報告を行う場合の実施形態について説明する。
【０２４２】
図８に、少なくとも２つの上りリンクセルでＣＳＩ報告を行う場合の概略図である。下り周波数（downlink frequency）で３２のサービングセルが設定され、第１の上りリンクセルと第２の上りリンクセルでＣＳＩの報告を行う。
【０２４３】
このとき、あるサブフレームにおいて第１の上りリンクセルでＸセルのサービングセルのＣＳＩ、第２の上りリンクセルでＹセルのサービングセルの報告が設定または要求されている場合に、該サブフレームで送信するＣＳＩ報告の数Ｘ＋Ｙが所定の値Ｚを超える場合に、第１の上りリンクセルで送信するよう設定・要求されたセルの数ＸのＣＳＩ報告と第２の上りリンクセルで送信するよう設定・要求されたセルの数ＹのＣＳＩ報告のうち、優先度の低いものをドロップする、または更新しない。即ち、(X+Y)-ZのＣＳＩ報告がドロップ、または、更新されない。
【０２４４】
第１の上りリンクセルのＣＳＩ報告は、ＰＵＣＣＨで送信される周期的な（Periodic）報告でもＰＵＳＣＨで送信される非周期（Aperiodic）報告でもよい。また、第１の上りリンクセルのＣＳＩ報告は、ＰＵＣＣＨで送信される周期的な（Periodic）報告でもＰＵＳＣＨで送信される非周期（Aperiodic）報告でもよい。また、ここで周期的なＣＳＩ報告の数とは、あるサブフレームにおいて１つのＰＵＣＣＨで送信する際にＰＵＣＣＨのペイロードに含むＣＳＩ報告の数を意味する。同様に、非周期的なＣＳＩ報告の数とは、あるサブフレームにおいて１つのＰＵＣＣＨで送信する際にＰＵＣＣＨのペイロードに含むＣＳＩ報告の数を意味する。例えば、２つの周期的なＣＳＩ報告とは、周期的に送信されるＣＳＩ報告の数が２であることを意味する。
【０２４５】
また、ＸとＹはサービングセルの数だけでなくＣＳＩプロセスの数でもサービングセルとプロセスの合計数でもよい。
【０２４６】
第１の上りリンクセルがＰＵＣＣＨでＣＳＩ報告を行い、第２の上りリンクセルがＰＵＳＣＨでＣＳＩ報告を行う場合には、max (Z-X,0) の数のＣＳＩ報告を除く全てのＹの数のＣＳＩ報告を更新することを期待されなくてよい。また、このときmax (Z-X,0) の数のＣＳＩ報告は、周期的なＣＳＩ報告時の衝突ルール（前述の報告タイプ）によって決まってもよいし、サービングセルインデックス、ＣＳＩプロセスインデックスによって決まってもよい。優先度は、(i) 非周期のＣＳＩ報告を周期的なＣＳＩ報告より優先する、(ii)周期的なＣＳＩ報告より非周期なＣＳＩ報告を優先する、(iii) プライマリーＰＵＣＣＨセルグループのＣＳＩ報告をセカンダリーＰＵＣＣＨセルグループのＣＳＩ報告より優先する、といった優先度でもよい。
【０２４７】
例えば、所定の数Ｚを５とし、２つの周期的なＣＳＩ報告と４つの非周期のＣＳＩ報告が衝突した場合に、優先度の低い、周期的に送信されるＣＳＩ報告のうち１つを更新しない。
【０２４８】
例えば、所定の数Ｚを５とし、２つの周期的なＣＳＩ報告と５つの非周期のＣＳＩ報告が衝突した場合に、周期的なＣＳＩ報告は全て更新しなくてもよいし、あるいはドロップしてもよい。
【０２４９】
上記では非周期のＣＳＩ報告が優先されるが、パワーリミテッド（目標受信電力で受信させるために必要な送信電力で送信できない場合）のときは、周期的なＣＳＩ報告に優先的に電力が割り当てられてもよい。
【０２５０】
パワーリミテッドの場合の優先度は、プライマリーセルグループの周期的および非周期のＣＳＩ報告＞セカンダリーセルグループの周期的および非周期のＣＳＩ報告でもよい。また、ＣＳＩを更新するかどうかの優先度も、プライマリーセルグループの周期的および非周期のＣＳＩ報告＞セカンダリーセルグループの周期的および非周期のＣＳＩ報告としてもよい。
【０２５１】
ＰＣＧにおける周期的なＣＳＩ報告と、ＳＣＧにおける周期的ＣＳＩ報告、及びＳＣＧにおける非周期のＣＳＩ報告が衝突し、かつＰＣＧにおけるＸの数の周期的なＣＳＩ報告と、ＳＣＧにおけるＹの数の非周期なＣＳＩ報告の合計Ｘ＋ＹがＺを超えた場合には、ＳＣＧにおけるＹの数の非周期なＣＳＩ報告をドロップし、さらに所定の数Ｚを超える、Ｘの数の周期的なＣＳＩ報告またはＳＣＧにおけるＹの数の非周期なＣＳＩ報告の一部を更新しない、またはドロップする。
【０２５２】
以上、上りリンク制御情報の送信に関連する方法／処理について、図面を参照して記述してきたが、具体的な構成は上述の記載に限られるものではなく、この発明の要旨を逸脱しない範囲の設計変更等も含まれる。また、本実施形態は、上述に記載の方法／処理を適宜組み合わせて得られる実施形態についても本発明の技術的範囲に含まれる。
【０２５３】
以下、本実施形態における装置の構成について説明する。
【０２５４】
図９は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３、および、チャネル状態情報（ＣＳＩ）報告制御部１０１５を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０７９を含んで構成される。
【０２５５】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２５６】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【０２５７】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０２５８】
ＣＳＩ報告制御部１０１５は、測定部１０５９に、ＣＳＩ参照リソースに関連するチャネル状態情報（ＲＩ／ＰＭＩ／ＣＱＩ）を導き出すよう指示する。ＣＳＩ報告制御部１０１５は、送信部１０７に、ＲＩ／ＰＭＩ／ＣＱＩを送信するよう指示をする。ＣＳＩ報告制御部１０１５は、測定部１０５９がＣＱＩを算出する際に用いる設定をセットする。
【０２５９】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２６０】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０２６１】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０２６２】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号を測定部１０５９に出力する。
【０２６３】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０２６４】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２６５】
測定部１０５９は、多重分離部１０５５から入力された下りリンク参照信号から、下りリンクのパスロスの測定、チャネル測定、および／または、干渉測定を行う。測定部１０５９は、測定結果に基づいて算出したＣＳＩ、および、測定結果を上位層処理部１０１へ出力する。また、測定部１０５９は、下りリンク参照信号から下りリンクの伝搬路の推定値を算出し、多重分離部１０５５へ出力する。
【０２６６】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０２６７】
符号化部１０７１は、上位層処理部１０１から入力された上りリンク制御情報、および、上りリンクデータを符号化する。変調部１０７３は、符号化部１０７１から入力された符号化ビットをＢＰＳＫ、ＱＰＳＫ、１６ＱＡＭ、６４ＱＡＭ等の変調方式で変調する。
【０２６８】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０２６９】
多重部１０７５は、ＰＵＳＣＨのスケジューリングに用いられる情報に基づき、空間多重されるＰＵＳＣＨのレイヤーの数を決定し、ＭＩＭＯ  ＳＭ（Multiple Input Multiple Output Spatial Multiplexing）を用いることにより同一のＰＵＳＣＨで送信される複数の上りリンクデータを、複数のレイヤーにマッピングし、このレイヤーに対してプレコーディング（precoding）を行なう。
【０２７０】
多重部１０７５は、制御部１０３から入力された制御信号に従って、ＰＵＳＣＨの変調シンボルを離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２７１】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０２７２】
図１０は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３、および、ＣＳＩ報告制御部３０１５を含んで構成される。また、受信部３０５は、復号化部３０５１、復調部３０５３、多重分離部３０５５、無線受信部３０５７と測定部３０５９を含んで構成される。また、送信部３０７は、符号化部３０７１、変調部３０７３、多重部３０７５、無線送信部３０７７と下りリンク参照信号生成部３０７９を含んで構成される。
【０２７３】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２７４】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報の管理をする。
【０２７５】
上位層処理部３０１が備えるスケジューリング部３０１３は、受信したＣＳＩおよび測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。スケジューリング部３０１３は、スケジューリング結果に基づき、物理チャネル（ＰＤＳＣＨおよびＰＵＳＣＨ）のスケジューリングに用いられる情報（例えば、ＤＣＩフォーマット）を生成する。
【０２７６】
上位層処理部３０１が備えるＣＳＩ報告制御部３０１５は、端末装置１のＣＳＩ報告を制御する。ＣＳＩ報告制御部３０１５は、端末装置１がＣＳＩ参照リソースにおいてＲＩ／ＰＭＩ／ＣＱＩを導き出すために想定する、各種設定を示す情報を、送信部３０７を介して、端末装置１に送信する。
【０２７７】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２７８】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０２７９】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０２８０】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、測定部３０５９から入力された伝搬路の推定値から、ＰＵＣＣＨとＰＵＳＣＨの伝搬路の補償を行なう。また、多重分離部３０５５は、分離した上りリンク参照信号を測定部３０５９に出力する。
【０２８１】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２８２】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。測定部３０９は、多重分離部３０５５から入力された上りリンク参照信号から伝搬路の推定値、チャネルの品質などを測定し、多重分離部３０５５および上位層処理部３０１に出力する。
【０２８３】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して端末装置１に信号を送信する。
【０２８４】
符号化部３０７１は、上位層処理部３０１から入力されたＨＡＲＱインディケータ、下りリンク制御情報、および下りリンクデータを符号化する。変調部３０７３は、符号化部３０７１から入力された符号化ビットをＢＰＳＫ、ＱＰＳＫ、１６ＱＡＭ、６４ＱＡＭ等の変調方式で変調する。
【０２８５】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。
【０２８６】
多重部３０７５は、空間多重されるＰＤＳＣＨのレイヤーの数に応じて、１つのＰＵＳＣＨで送信される１つまたは複数の下りリンクデータを、１つまたは複数のレイヤーにマッピングし、該１つまたは複数のレイヤーに対してプレコーディング（precoding）を行なう。多重部３７５は、下りリンク物理チャネルの信号と下りリンク参照信号を送信アンテナポート毎に多重する。多重部３７５は、送信アンテナポート毎に、下りリンク物理チャネルの信号と下りリンク参照信号をリソースエレメントに配置する。
【０２８７】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０２８８】
（１）より具体的には、本発明の第１の態様における端末装置１は、第１のサービングセルにおける物理上りリンクチャネルでの１つまたは複数の第１のチャネル状態情報報告のための第１の情報を基地局装置から受信し、第２のサービングセルにおける物理上りリンクチャネルでの複数の第２のチャネル状態情報報告のための第２の情報を前記基地局装置から受信する受信部と、前記第１のチャネル状態情報報告を行い、
前記第２のチャネル状態情報報告を行う送信部と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える端末装置１であってよい。
【０２８９】
（２）上記の第１の態様において、前記１つまたは複数の第１のチャネル状態情報報告は、周期的な（Periodic）チャネル状態情報報告、または、非周期の（Aperiodic）チャネル状態情報報告であり、
前記複数の第２のチャネル状態情報報告は、周期的な（Periodic）チャネル状態情報報告、または、非周期の（Aperiodic）チャネル状態情報報告であってよい。
【０２９０】
（３）本発明の第２の態様における端末装置１は、第１のサービングセルにおける物理上りリンクチャネルでの１つまたは複数の第１のチャネル状態情報報告のための第１の情報を基地局装置から受信し、第２のサービングセルにおける物理上りリンクチャネルでの複数の第２のチャネル状態情報報告のための第２の情報を前記基地局装置から受信する受信部と、前記第１のチャネル状態情報報告を行い、前記第２のチャネル状態情報報告を行う送信部と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告をドロップし、前記第２の所定の数は、前記１つまたは複数の第１のチャネル状態情報報告の数と前記複数の第２のチャネル状態情報報告の数の合計から、前記第１の所定の数を減算した数である端末装置１であってよい。
【０２９１】
（４）上記の第２の態様において、前記１つまたは複数の第１のチャネル状態情報報告は、周期的な（Periodic）チャネル状態情報報告、または、非周期の（Aperiodic）チャネル状態情報報告であり、前記複数の第２のチャネル状態情報報告は、周期的な（Periodic）チャネル状態情報報告、または、非周期の（Aperiodic）チャネル状態情報報告であってよい。
【０２９２】
（５）上記の第２の態様において、前記ドロップされるチャネル状態情報報告は、優先度に基づいて決定され、前記優先度は、前記周期的な（Periodic）チャネル状態情報報告か、前記非周期の（Aperiodic）チャネル状態情報報告かに基づいてよい。
【０２９３】
（６）上記の第２の態様において、前記ドロップされるチャネル状態情報報告は、セルグループの優先度に基づいて決定され、前記セルグループは、プライマリーセルを含む第１のセルグループと、前記プライマリーセルを含まない第２のセルグループであってよい。
【０２９４】
（７）上記の第２の態様において、前記第１のサービングセルにおける物理上りリンクチャネルでの１つまたは複数の第３のチャネル状態情報報告のための第３の情報を基地局装置から受信し、前記送信部は、前記第３のチャネル状態情報報告を行い、第２のサブフレームにおいて前記第１のチャネル状態情報報告と前記第３のチャネル状態情報報告が衝突した場合には、前記第１のチャネル状態情報報告と前記第３のチャネル状態情報報告のうちのいずれか一方の、全てのチャネル状態情報報告をドロップし、前記第１のチャネル状態情報報告と前記第３のチャネル状態情報報告のうちの一方は、周期的な（Periodic）チャネル状態情報報告であり、前記第１のチャネル状態情報報告と前記第３のチャネル状態情報報告のうちの他方は、非周期の（Aperiodic）チャネル状態情報報告であってよい。
【０２９５】
（８）本発明の第３の態様における端末装置１は、第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、第２のサービングセルにおける物理上りリンクチャネルでの、複数の第２のチャネル状態情報プロセスに対応する、複数の第２のチャネル状態情報報告のための第２の情報を前記基地局装置から受信する受信部と、前記第１のチャネル状態情報報告を行い、前記第２のチャネル状態情報報告を行う送信部と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超える端末装置１であってよい。
【０２９６】
（９）上記の第３の態様において、前記１つまたは複数の第１のチャネル状態情報報告は、周期的な（Periodic）チャネル状態情報報告、または、非周期の（Aperiodic）チャネル状態情報報告であり、前記複数の第２のチャネル状態情報報告は、周期的な（Periodic）チャネル状態情報報告、または、非周期の（Aperiodic）チャネル状態情報報告であってよい。
【０２９７】
（１０）本発明の第４の態様における端末装置１は、第１のサービングセルにおける物理上りリンクチャネルでの、１つまたは複数の第１のチャネル状態情報プロセスに対応する、１つまたは複数の第１のチャネル状態情報報告のための第１の情報を基地局装置から受信し、第２のサービングセルにおける物理上りリンクチャネルでの、複数の第２のチャネル状態情報プロセスに対応する、複数の第２のチャネル状態情報報告のための第２の情報を前記基地局装置から受信する受信部と、前記１つまたは複数の第１のチャネル状態情報報告を行い、前記複数の第２のチャネル状態情報報告を行う送信部と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告をドロップし、前記第２の所定の数は、前記１つまたは複数の第１のチャネル状態情報報告の数と前記複数の第２のチャネル状態情報報告の数の合計から、前記第１の所定の数を減算した数であってよい。
【０２９８】
（１１）上記の第４の態様において、前記１つまたは複数の第１のチャネル状態情報報告は、周期的な（Periodic）チャネル状態情報報告、または、非周期の（Aperiodic）チャネル状態情報報告であり、前記複数の第２のチャネル状態情報報告は、周期的な（Periodic）チャネル状態情報報告、または、非周期の（Aperiodic）チャネル状態情報報告であってよい。
【０２９９】
（１２）上記の第４の態様において、前記ドロップされるチャネル状態情報報告は、優先度に基づいて決定され、前記優先度は、前記周期的な（Periodic）チャネル状態情報報告か、前記非周期の（Aperiodic）チャネル状態情報報告かに基づいてよい。
【０３００】
（１３）上記の第４の態様において、前記ドロップされるチャネル状態情報報告は、セルグループの優先度に基づいて決定され、前記セルグループは、プライマリーセルを含む第１のセルグループと、前記プライマリーセルを含まない第２のセルグループであってよい。
【０３０１】
（１４）上記の第４の態様において、前記受信部は、前記第１のサービングセルにおける物理上りリンクチャネルでの、１つまたは複数の第３のチャネル状態情報プロセスに対応する、１つまたは複数の第３のチャネル状態情報報告のための第３の情報を基地局装置から受信し、前記送信部は、前記第３のチャネル状態情報報告を行い、第２のサブフレームにおいて前記第１のチャネル状態情報報告と前記第３のチャネル状態情報報告が衝突した場合には、前記第１のチャネル状態情報報告と前記第３のチャネル状態情報報告のうちのいずれか一方の、全てのチャネル状態情報報告をドロップし、前記第１のチャネル状態情報報告と前記第３のチャネル状態情報報告のうちの一方は、周期的な（Periodic）チャネル状態情報報告であり、前記第１のチャネル状態情報報告と前記第３のチャネル状態情報報告のうちの他方は、非周期の（Aperiodic）チャネル状態情報報告であってよい。
【０３０２】
（１５）本発明の第５の態様における基地局装置３は、第１のサービングセルにおける物理上りリンクチャネルでの１つまたは複数の第１のチャネル状態情報報告のための第１の情報を端末装置に送信し、第２のサービングセルにおける物理上りリンクチャネルでの複数の第２のチャネル状態情報報告のための第２の情報を前記端末装置に送信する送信部と、前記第１のチャネル状態情報報告を受信し、前記第２のチャネル状態情報報告を受信する受信部と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超えてよい。
【０３０３】
（１６）上記の第５の態様において、前記１つまたは複数の第１のチャネル状態情報報告は、周期的な（Periodic）チャネル状態情報報告、または、非周期の（Aperiodic）チャネル状態情報報告であり、前記複数の第２のチャネル状態情報報告は、周期的な（Periodic）チャネル状態情報報告、または、非周期の（Aperiodic）チャネル状態情報報告であってよい。
【０３０４】
（１７）本発明の第６の態様における基地局装置３は、第１のサービングセルにおける物理上りリンクチャネルでの１つまたは複数の第１のチャネル状態情報報告のための第１の情報を端末装置に送信し、第２のサービングセルにおける物理上りリンクチャネルでの複数の第２のチャネル状態情報報告のための第２の情報を前記端末装置に送信する送信部と、前記第１のチャネル状態情報報告を受信し、前記第２のチャネル状態情報報告を受信する受信部と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告がドロップされており、前記第２の所定の数は、前記１つまたは複数の第１のチャネル状態情報報告の数と前記複数の第２のチャネル状態情報報告の数の合計から、前記第１の所定の数を減算した数であってよい。
【０３０５】
（１８）上記の第６の態様において、前記１つまたは複数の第１のチャネル状態情報報告は、周期的な（Periodic）チャネル状態情報報告、または、非周期の（Aperiodic）チャネル状態情報報告であり、前記複数の第２のチャネル状態情報報告は、周期的な（Periodic）チャネル状態情報報告、または、非周期の（Aperiodic）チャネル状態情報報告であってよい。
【０３０６】
（１９）上記の第６の態様において、前記ドロップされるチャネル状態情報報告は、優先度に基づいて決定され、前記優先度は、前記周期的な（Periodic）チャネル状態情報報告か、前記非周期の（Aperiodic）チャネル状態情報報告かに基づいてよい。
【０３０７】
（２０）上記の第６の態様において、前記ドロップされるチャネル状態情報報告は、セルグループの優先度に基づいて決定され、前記セルグループは、プライマリーセルを含む第１のセルグループと、前記プライマリーセルを含まない第２のセルグループであってよい。
【０３０８】
（２１）上記の第６の態様において、前記送信部は、前記第１のサービングセルにおける物理上りリンクチャネルでの１つまたは複数の第３のチャネル状態情報報告のための第３の情報を前記端末装置へ送信し、前記受信部は、前記第３のチャネル状態情報報告を受信し、第２のサブフレームにおいて前記第１のチャネル状態情報報告と前記第３のチャネル状態情報報告が衝突した場合には、前記第１のチャネル状態情報報告と前記第３のチャネル状態情報報告のうちのいずれか一方の、全てのチャネル状態情報報告がドロップされ、前記第１のチャネル状態情報報告と前記第３のチャネル状態情報報告のうちの一方は、周期的な（Periodic）チャネル状態情報報告であり、前記第１のチャネル状態情報報告と前記第３のチャネル状態情報報告のうちの他方は、非周期の（Aperiodic）チャネル状態情報報告であってよい。
【０３０９】
（２２）本発明の第７の態様における基地局装置３は、基地局装置であって、第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、第２のサービングセルにおける物理上りリンクチャネルでの、複数の第２のチャネル状態情報プロセスに対応する、複数の第２のチャネル状態情報報告のための第２の情報を前記端末装置に送信する送信部と、前記第１のチャネル状態情報報告を受信し、前記第２のチャネル状態情報報告を受信する受信部と、を備え、第１のサブフレームにおける、前記第１のチャネル状態情報報告の数と前記第２のチャネル状態情報報告の数の合計は、所定の数を超えず、第２のサブフレームにおける前記第１のチャネル状態情報報告の数と、第３のサブフレームにおける前記第２のチャネル状態情報報告の数の合計は、前記所定の数を超えてよい。
【０３１０】
（２３）上記の第７の態様において、前記１つまたは複数の第１のチャネル状態情報報告は、周期的な（Periodic）チャネル状態情報報告、または、非周期の（Aperiodic）チャネル状態情報報告であり、前記複数の第２のチャネル状態情報報告は、周期的な（Periodic）チャネル状態情報報告、または、非周期の（Aperiodic）チャネル状態情報報告であってよい。
【０３１１】
（２４）本発明の第８の態様における基地局装置３は、第１のサービングセルにおける物理上りリンクチャネルでの、１つまたは複数の第１のチャネル状態情報プロセスに対応する、１つまたは複数の第１のチャネル状態情報報告のための第１の情報を端末装置に送信し、第２のサービングセルにおける物理上りリンクチャネルでの、複数の第２のチャネル状態情報プロセスに対応する、複数の第２のチャネル状態情報報告のための第２の情報を前記端末装置に送信する送信部と、前記１つまたは複数の第１のチャネル状態情報報告を受信し、前記複数の第２のチャネル状態情報報告を受信する受信部と、を備え、第１のサブフレームにおける、前記第１のチャネル状態情報報告の数と前記第２のチャネル状態情報報告の数の合計が、第１の所定の数を超えた場合には、前記１つまたは複数の第１のチャネル状態情報報告、および、前記複数の第２のチャネル状態情報報告のうちの、第２の所定の数のチャネル状態情報報告がドロップされており、前記第２の所定の数は、前記１つまたは複数の第１のチャネル状態情報報告の数と前記複数の第２のチャネル状態情報報告の数の合計から、前記第１の所定の数を減算した数であってよい。
【０３１２】
（２５）上記の第８の態様において、前記１つまたは複数の第１のチャネル状態情報報告は、周期的な（Periodic）チャネル状態情報報告、または、非周期の（Aperiodic）チャネル状態情報報告であり、前記複数の第２のチャネル状態情報報告は、周期的な（Periodic）チャネル状態情報報告、または、非周期の（Aperiodic）チャネル状態情報報告であってよい。
【０３１３】
（２６）上記の第８の態様において、前記ドロップされるチャネル状態情報報告は、優先度に基づいて決定され、前記優先度は、前記周期的な（Periodic）チャネル状態情報報告か、前記非周期の（Aperiodic）チャネル状態情報報告かに基づいてよい。
【０３１４】
（２７）上記の第８の態様において、前記ドロップされるチャネル状態情報報告は、セルグループの優先度に基づいて決定され、前記セルグループは、プライマリーセルを含む第１のセルグループと、前記プライマリーセルを含まない第２のセルグループであってよい。
【０３１５】
（２８）上記の第８の態様において、前記送信部は、前記第１のサービングセルにおける物理上りリンクチャネルでの、１つまたは複数の第３のチャネル状態情報プロセスに対応する、１つまたは複数の第３のチャネル状態情報報告のための第３の情報を端末装置に送信し、前記受信部は、前記第３のチャネル状態情報報告を受信し、第２のサブフレームにおいて前記第１のチャネル状態情報報告と前記第３のチャネル状態情報報告が衝突した場合には、前記第１のチャネル状態情報報告と前記第３のチャネル状態情報報告のうちのいずれか一方の、全てのチャネル状態情報報告がドロップされており、前記第１のチャネル状態情報報告と前記第３のチャネル状態情報報告のうちの一方は、周期的な（Periodic）チャネル状態情報報告であり、前記第１のチャネル状態情報報告と前記第３のチャネル状態情報報告のうちの他方は、非周期の（Aperiodic）チャネル状態情報報告であってよい。
【０３１６】
（２９）本発明の第９の態様における端末装置１は、第１のサービングセルにおける物理上りリンクチャネルでの１つまたは複数の第１のチャネル状態情報報告のための第１の情報を基地局装置から受信し、第２のサービングセルにおける物理上りリンクチャネルでの複数の第２のチャネル状態情報報告のための第２の情報を前記基地局装置から受信する受信部と、前記１つまたは複数の第１のチャネル状態情報報告を行い、前記複数の第２のチャネル状態情報報告を行う送信部と、を備え、第１のサブフレームにおける、前記１つまたは複数の第１のチャネル状態情報報告と前記複数の第２のチャネル状態情報報告の総数が、第１の所定の数を超えている場合には、前記１つまたは複数の第１のチャネル状態情報報告、および、前記複数の第２のチャネル状態情報報告のうちの、第２の所定の数のチャネル状態情報報告を更新せず、前記第２の所定の数は、前記１つまたは複数の第１のチャネル状態情報報告の数と前記複数の第２のチャネル状態情報報告の数の合計から、前記第１の所定の数を減算した数であってよい。
【０３１７】
（３０）上記の第９の態様において、前記１つまたは複数の第１のチャネル状態情報報告は、周期的な（Periodic）チャネル状態情報報告、または、非周期の（Aperiodic）チャネル状態情報報告であり、前記複数の第２のチャネル状態情報報告は、周期的な（Periodic）チャネル状態情報報告、または、非周期の（Aperiodic）チャネル状態情報報告であってよい。
【０３１８】
（３１）上記の第９の態様において、前記更新されないチャネル状態情報報告は、優先度に基づいて決定され、前記優先度は、前記周期的な（Periodic）チャネル状態情報報告か、前記非周期の（Aperiodic）チャネル状態情報報告かに基づいてよい。
【０３１９】
（３２）上記の第９の態様において、前記更新されないチャネル状態情報報告は、セルグループの優先度に基づいて決定され、前記セルグループは、プライマリーセルを含む第１のセルグループと、前記プライマリーセルを含まない第２のセルグループであってよい。
【０３２０】
（３２）上記の第９の態様において、前記受信部は、前記第１のサービングセルにおける物理上りリンクチャネルでの１つまたは複数の第３のチャネル状態情報報告のための第３の情報を基地局装置から受信し、前記送信部は、前記第３のチャネル状態情報報告を行い、第２のサブフレームにおいて前記第１のチャネル状態情報報告と前記第３のチャネル状態情報報告が衝突した場合には、前記第１のチャネル状態情報報告と前記第３のチャネル状態情報報告のうちのいずれか一方の、全てのチャネル状態情報報告をドロップし、前記第１のチャネル状態情報報告と前記第３のチャネル状態情報報告のうちの一方は、周期的な（Periodic）チャネル状態情報報告であり、前記第１のチャネル状態情報報告と前記第３のチャネル状態情報報告のうちの他方は、非周期の（Aperiodic）チャネル状態情報報告であってよい。
【０３２１】
（３３）本発明の第１０の態様における端末装置１は、第１のサービングセルにおける物理上りリンクチャネルでの、１つまたは複数の第１のチャネル状態情報プロセスに対応する、１つまたは複数の第１のチャネル状態情報の送信のための第１の情報を基地局装置から受信し、第２のサービングセルにおける物理上りリンクチャネルでの、複数の第２のチャネル状態情報プロセスに対応する、複数の第２のチャネル状態情報の送信のための第２の情報を前記基地局装置から受信する受信部と、前記１つまたは複数の第１のチャネル状態情報を送信し、前記複数の第２のチャネル状態情報を送信する送信部と、を備え、前記１つまたは複数の第１のチャネル状態情報の送信と前記複数の第２のチャネル状態情報の送信が衝突する第１のサブフレームにおいて、前記１つまたは複数の第１のチャネル状態情報プロセスと前記複数の第２のチャネル状態情報プロセスの総数が、第１の所定の数を超えている場合には、前記１つまたは複数の第１のチャネル状態情報プロセス、および、前記複数の第２のチャネル状態情報プロセスのうちの、第２の所定の数のチャネル状態情報プロセスに対応するチャネル状態情報を更新せず、前記第２の所定の数は、前記１つまたは複数の第１のチャネル状態情報プロセスの数と前記複数の第２のチャネル状態情報プロセスの数の合計から、前記第１の所定の数を減算した数であってよい。
【０３２２】
（３４）上記の第１０の態様において、前記１つまたは複数の第１のチャネル状態情報報告は、周期的な（Periodic）チャネル状態情報報告、または、非周期の（Aperiodic）チャネル状態情報報告であり、前記複数の第２のチャネル状態情報報告は、周期的な（Periodic）チャネル状態情報報告、または、非周期の（Aperiodic）チャネル状態情報報告であってよい。
【０３２３】
（３５）上記の第１０の態様において、前記更新されないチャネル状態情報報告は、優先度に基づいて決定され、前記優先度は、前記周期的な（Periodic）チャネル状態情報報告か、前記非周期の（Aperiodic）チャネル状態情報報告かに基づいてよい。
【０３２４】
（３６）上記の第１０の態様において、前記更新されないチャネル状態情報報告は、セルグループの優先度に基づいて決定され、前記セルグループは、プライマリーセルを含む第１のセルグループと、前記プライマリーセルを含まない第２のセルグループであってよい。
【０３２５】
（３７）上記の第１０の態様において、前記受信部は、前記第１のサービングセルにおける物理上りリンクチャネルでの、１つまたは複数の第３のチャネル状態情報プロセスに対応する、１つまたは複数の第３のチャネル状態情報報告のための第３の情報を基地局装置から受信し、前記送信部は、前記第３のチャネル状態情報報告を行い、第２のサブフレームにおいて前記第１のチャネル状態情報報告と前記第３のチャネル状態情報報告が衝突した場合には、前記第１のチャネル状態情報報告と前記第３のチャネル状態情報報告のうちのいずれか一方の、全てのチャネル状態情報報告をドロップし、前記第１のチャネル状態情報報告と前記第３のチャネル状態情報報告のうちの一方は、周期的な（Periodic）チャネル状態情報報告であり、前記第１のチャネル状態情報報告と前記第３のチャネル状態情報報告のうちの他方は、非周期の（Aperiodic）チャネル状態情報報告であってよい。
【０３２６】
これにより、上りリンク制御情報を効率的に送信することができる。
【０３２７】
本発明のいくつかの態様に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０３２８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０３２９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３３０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３３１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０３３２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０３３３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０３３４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３３５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０３３６】
本発明のいくつかの態様は、上りリンクにおけるチャネル状態情報の報告を効率的に実行することが必要な端末装置、基地局装置、通信方法、および、集積回路などに適用することができる。
【符号の説明】
【０３３７】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  チャネル状態情報報告制御部
３０１１  無線リソース制御部
３０１３  スケジューリング部
３０１５  チャネル状態情報報告制御部
【図１】
2017022797.tif 000003
【図２】
2017022797.tif 000004
【図３Ａ】
2017022797.tif 000005
【図３Ｂ】
2017022797.tif 000006
【図３Ｃ】
2017022797.tif 000007
【図４】
2017022797.tif 000008
【図５】
2017022797.tif 000009
【図６】
2017022797.tif 000010
【図７】
2017022797.tif 000011
【図８】
2017022797.tif 000012
【図９】
2017022797.tif 000013
【図１０】
2017022797.tif 000014
【国際調査報告】
2017022797.tif 000015
2017022797.tif 000016
2017022797.tif 000017
2017022797.tif 000018